(57)【要約】ネットワーク設定を共有する方法は、ユーザに対応付けられたホームネットワーク設定を受信することと、遠隔ネットワークを識別することと、ホームネットワークの設定に基づいて遠隔ネットワークの設定を修正することとを含む。【選択図】図１
2019530349.tif 000002
【特許請求の範囲】
【請求項１】
ネットワーク設定のための方法であって、
第１のローカルエリアネットワーク（ＬＡＮ）の第１の無線アクセスポイント（ＷＡＰ）にて、第１のＳＳＩＤを一斉送信することと、
第１のユーザに対応付けられた第１のユーザデバイスにて、前記第１のＳＳＩＤ及び第１の事前共有鍵（ＰＳＫ）を使用して前記第１のＬＡＮに接続することと、
第２のＬＡＮの第２のＷＡＰにて、第２のＳＳＩＤを一斉送信することと、
第２のユーザに対応付けられた第２のユーザデバイスにて、前記第２のＳＳＩＤ及び第２のＰＳＫを使用して前記第２のＬＡＮに接続することと、
第３のＬＡＮの第３のＷＡＰにて、第３のＳＳＩＤを一斉送信することと、
第３のユーザデバイスにて、前記第３のＳＳＩＤ及び第３のＰＳＫを使用して前記第３のＬＡＮに接続することと、
遠隔管理プラットフォームにて、
前記第１のユーザに対応付けられた前記第１のＳＳＩＤ及び前記第１のＰＳＫを受信することと、
時間間隔内に、前記第３のＬＡＮに対応付けられた領域内に前記第１のユーザが存在するだろうと予測することと、
前記領域内に前記第１のユーザが存在するだろうという予測に応じて、前記時間間隔の前に、前記第１のＳＳＩＤを一斉送信するように、並びに前記第１のＳＳＩＤ及び前記第１のＰＳＫを使用して前記第３のＬＡＮへ接続することを許可するように、前記第３のＷＡＰを自動的に設定することと、
前記第１のユーザデバイスにて、前記時間間隔内に、前記第１のＳＳＩＤ及び前記第１のＰＳＫを使用して前記第３のＬＡＮに接続することと、
前記時間間隔後に、前記第１のＳＳＩＤ及び前記第１のＰＳＫを使用して前記第３のＬＡＮへ接続することを拒否するように、前記第３のＷＡＰを自動的に設定することと、
前記遠隔管理プラットフォームにて、
前記第２のユーザに対応付けられた前記第２のＳＳＩＤ及び前記第２のＰＳＫを受信することと、
前記領域内に前記第２のユーザが存在することを特定することと、
前記領域内に前記第２のユーザが存在することの特定に応じて、前記第２のＳＳＩＤを一斉送信するように、並びに前記第２のＳＳＩＤ及び前記第２のＰＳＫを使用して前記第３のＬＡＮへ接続することを許可するように、前記第３のＷＡＰを自動的に設定することと、
第２のユーザデバイスにて、前記第２のＳＳＩＤ及び前記第２のＰＳＫを使用して前記第３のＬＡＮに接続することと、
前記遠隔管理プラットフォームにて、前記領域内に前記第２のユーザが存在することを特定した後、
前記領域内に前記第２のユーザが存在しないことを特定することと、
前記領域内に前記第２のユーザが存在しないことの特定に応じて、前記第２のＳＳＩＤ及び前記第２のＰＳＫを使用して前記第３のＬＡＮへ接続することを拒否するように、前記第３のＷＡＰを自動的に設定することと、
を含む、前記方法。
【請求項２】
前記第１のユーザデバイス及び前記第２のユーザデバイスは、前記第３のＬＡＮに同時に接続される、請求項１に記載の方法。
【請求項３】
ネットワーク設定のための方法であって、
第１のローカルエリアネットワーク（ＬＡＮ）の第１の無線アクセスポイント（ＷＡＰ）にて、ＳＳＩＤを一斉送信することと、
前記第１のＷＡＰにて、ユーザに対応付けられたユーザデバイスを、前記ＳＳＩＤ及び事前共有鍵（ＰＳＫ）を使用して前記第１のＬＡＮに接続することであって、
前記ＳＳＩＤに基づいて前記ユーザデバイスと対応付けることと、
前記ＰＳＫに基づいて前記ユーザデバイスの認証プロセスを実行することと、
を含む、前記第１のＷＡＰにて、前記ユーザに対応付けられた前記ユーザデバイスを、前記ＳＳＩＤ及び前記ＰＳＫを使用して前記第１のＬＡＮに接続することと、
遠隔管理プラットフォームにて、
前記ユーザに対応付けられた、前記ＳＳＩＤ及び前記ＰＳＫを含むＷＡＰ設定データを受信することと、
時間間隔内に、第２のＬＡＮに対応付けられた領域内に前記ユーザが存在するだろうと予測することと、
前記領域を前記ユーザが訪れるという予測に応じて、前記時間間隔の前に、前記ＷＡＰ設定データに基づいて前記第２のＬＡＮの第２のＷＡＰを自動的に設定することであって、
前記ＳＳＩＤを一斉送信するように、並びに前記ＳＳＩＤ及び前記ＰＳＫを使用して前記第２のＬＡＮに接続することを許可するように、前記第２のＷＡＰを設定すること
を含む、前記領域を前記ユーザが訪れるという予測に応じて、前記時間間隔の前に、前記ＷＡＰ設定データに基づいて前記第２のＬＡＮの前記第２のＷＡＰを自動的に設定することと、
前記ＷＡＰ設定データに基づいて前記第２のＷＡＰを自動的に設定したことに応じて、前記第２のＷＡＰにて、前記時間間隔内に前記ＳＳＩＤを一斉送信することと、
前記第２のＷＡＰにて、前記時間間隔内に、前記ＳＳＩＤを一斉送信した後に、前記ＳＳＩＤ及び前記ＰＳＫを使用して前記ユーザデバイスを前記第２のＬＡＮに接続することであって、
前記ＳＳＩＤに基づいて前記ユーザデバイスと対応付けることと、
前記ＰＳＫに基づいて前記ユーザデバイスの認証プロセスを実行することと、
を含む、前記第２のＷＡＰにて、前記時間間隔内に、前記ＳＳＩＤを一斉送信した後に、前記ＳＳＩＤ及び前記ＰＳＫを使用して前記ユーザデバイスを前記第２のＬＡＮに接続することと、
を含む、前記方法。
【請求項４】
前記領域を前記ユーザが訪れると予測することは、前記第２のＷＡＰに対応付けられた宿泊サービスの予約を受信することを含み、前記予約は、前記ユーザ、前記時間間隔、及び前記領域に対応付けられる、請求項３に記載の方法。
【請求項５】
前記時間間隔内に、
前記第２のＷＡＰにて、前記ユーザデバイスから入場要求を受信することと、
前記入場要求の受信に応じて、ドアロックを解除するように自動的に制御することと、
をさらに含む、請求項４に記載の方法。
【請求項６】
前記予約は前記時間間隔の終了時刻に終わり、前記方法は、
前記終了時刻後に、前記領域内に前記ユーザが存在することを特定することと、
前記領域内に前記ユーザが存在することの特定に応じて、出発遅延通知を前記宿泊サービスの管理者に送信することと、
をさらに含む、請求項４に記載の方法。
【請求項７】
前記時間間隔内に、
ユーザデバイス集合のそれぞれにて、前記第２のＬＡＮに接続することと、
前記ユーザデバイス集合の基数に基づいて、定員超過通知を前記宿泊サービスの管理者に送信することと、
をさらに含む、請求項４に記載の方法。
【請求項８】
前記時間間隔後に、前記ＳＳＩＤ及び前記ＰＳＫを使用して前記第２のＬＡＮへ接続することを拒否するように、前記第２のＷＡＰを自動的に設定することをさらに含む、請求項３に記載の方法。
【請求項９】
前記第２のＷＡＰにて、ホストＳＳＩＤ及びホストＰＳＫを使用して前記第２のＬＡＮにホストユーザデバイスを接続することと、
前記第２のＬＡＮを、ホストセグメントと、前記ホストセグメントから分離されたゲストセグメントとにセグメント化することと、
前記ホストユーザデバイスを前記ホストセグメントに対応付けることと、
前記ユーザデバイスを前記ゲストセグメントに対応付けることと、
をさらに含む、請求項３に記載の方法。
【請求項１０】
前記遠隔管理プラットフォームにて、
前記第２のＷＡＰの管理者から、機器制御プリファレンス集合を受信することと、
前記機器制御プリファレンス集合に基づいて、前記ゲストセグメントと、前記ホストセグメントに対応付けられた第１の機器との間の通信を許可するように、前記第２のＷＡＰを設定することと、
前記機器制御プリファレンス集合に基づいて、前記ゲストセグメントと、前記ホストセグメントに対応付けられた第２の機器との間の通信を拒否するように、前記第２のＷＡＰを設定することと、
をさらに含む、請求項９に記載の方法。
【請求項１１】
前記ＷＡＰ設定データは、コンテンツフィルタリング設定をさらに含み、前記方法は、
前記第１のＷＡＰにて、前記ユーザの子供に対応付けられた第２のユーザデバイスを、前記ＳＳＩＤ及び前記ＰＳＫを使用して前記第１のＬＡＮに接続することと、
前記遠隔管理プラットフォームにて、
前記コンテンツフィルタリング設定に基づいて、前記ユーザデバイスによるウェブサイトへのアクセスを許可し、前記第２のユーザデバイスによる前記ウェブサイトへのアクセスを阻止するように、前記第１のＷＡＰを設定することと、
前記コンテンツフィルタリング設定に基づいて、前記ユーザデバイスによるウェブサイトへのアクセスを許可し、前記第２のユーザデバイスによる前記ウェブサイトへのアクセスを阻止するように、前記第２のＷＡＰを設定することと、
前記ホストユーザデバイスによる前記ウェブサイトへのアクセスを許可するように、前記第２のＷＡＰを設定することと、
をさらに含む、請求項９に記載の方法。
【請求項１２】
前記領域を前記ユーザが訪れると予測することは、前記ユーザ、前記時間間隔、及び前記領域に対応付けられたカレンダ入力に基づいて実行される、請求項３に記載の方法。
【請求項１３】
ネットワーク設定のための方法であって、
第１のローカルエリアネットワーク（ＬＡＮ）の第１の無線アクセスポイント（ＷＡＰ）にて、ＳＳＩＤを一斉送信することと、
ユーザに対応付けられた第１のユーザデバイスにて、前記ＳＳＩＤ及び事前共有鍵（ＰＳＫ）を使用して前記第１のＬＡＮに接続することであって、
前記ＳＳＩＤに基づいて前記第１のＷＡＰと対応付けることと、
前記ＰＳＫに基づいて前記第１のＷＡＰとの認証プロセスを実行することと、
を含む、前記ユーザに対応付けられた前記第１のユーザデバイスにて、前記ＳＳＩＤ及び前記ＰＳＫを使用して前記第１のＬＡＮに接続することと、
遠隔管理プラットフォームにて、
前記ユーザに対応付けられた、前記ＳＳＩＤ及び前記ＰＳＫを含むＷＡＰ設定データを受信することと、
前記領域内に前記ユーザが存在することを特定することと、
前記領域内に前記ユーザが存在することの特定に応じて、前記ＷＡＰ設定データに基づいて前記第２のＬＡＮの第２のＷＡＰを自動的に設定することであって、
前記ＳＳＩＤを一斉送信するように、並びに前記ＳＳＩＤ及び前記ＰＳＫを使用して前記第２のＬＡＮに接続することを許可するように、前記第２のＷＡＰを設定すること
を含む、前記領域内に前記ユーザが存在することの特定に応じて、前記ＷＡＰ設定データに基づいて前記第２のＬＡＮの前記第２のＷＡＰを自動的に設定することと、
前記ＷＡＰ設定データに基づいて前記第２のＷＡＰを自動的に設定したことに応じて、前記第２のＷＡＰにて、前記時間間隔内に前記ＳＳＩＤを一斉送信することと、
前記ユーザに対応付けられた第２のユーザデバイスにて、前記時間間隔内に、
前記第２のＷＡＰから前記ＳＳＩＤを受信することと、
前記第２のＷＡＰから前記ＳＳＩＤを受信したことに応じて、前記ＳＳＩＤ及び前記ＰＳＫを使用して前記第２のＬＡＮに接続することであって、
前記ＳＳＩＤに基づいて前記第２のＷＡＰと対応付けることと、
前記ＰＳＫに基づいて前記第２のＷＡＰとの認証プロセスを実行することと、
を含む、前記第２のＷＡＰから前記ＳＳＩＤを受信したことに応じて、前記ＳＳＩＤ及び前記ＰＳＫを使用して前記第２のＬＡＮに接続することと、
を含む、前記方法。
【請求項１４】
前記第２のＷＡＰにて前記ＳＳＩＤを一斉送信することは、前記ＳＳＩＤを含む第１のビーコンフレームを一斉送信することを含む、請求項１３に記載の方法。
【請求項１５】
前記第１のビーコンフレームを一斉送信する前に、前記第２のＷＡＰは、前記ＳＳＩＤを含むプローブ要求フレームを受信しない、請求項１４に記載の方法。
【請求項１６】
前記領域内に前記ユーザが存在することを特定することは、前記遠隔管理プラットフォームにて、
前記第２のユーザデバイスから、第２のユーザデバイス位置を受信することと、
前記第２のユーザデバイス位置が前記領域内にあることを特定することと、
を含む、請求項１４に記載の方法。
【請求項１７】
前記第２のユーザデバイスにて、前記第２のユーザデバイスのＧＰＳ受信器により収集された位置データに基づいて、前記第２のユーザデバイス位置を特定することをさらに含む、請求項１６に記載の方法。
【請求項１８】
前記方法は、前記遠隔管理プラットフォームにて、前記領域内に前記ユーザが存在することを特定する前に、前記領域に前記ユーザが入ると予測することをさらに含み、
前記ＷＡＰ設定データに基づいて前記第２のＷＡＰを自動的に設定することは、前記領域に前記ユーザが入ると予測することにさらに応じて、実行される、
請求項１６に記載の方法。
【請求項１９】
前記領域に前記ユーザが入ると予測することは、前記ユーザに対応付けられたソーシャルグラフ情報の集合に基づいて実行される、請求項１８に記載の方法。
【請求項２０】
前記方法は、前記遠隔管理プラットフォームにて、
前記ユーザに対応付けられた位置履歴データ集合を受信することと、
前記第２のユーザデバイスから、第２のユーザデバイス位置を受信することと、
をさらに含み、
前記領域に前記ユーザが入ると予測することは、前記位置履歴データ集合及び前記第２のユーザデバイス位置に基づいて実行される、
請求項１８に記載の方法。
【発明の詳細な説明】
【技術分野】
【０００１】
関連出願の相互参照
本出願は、２０１６年９月２７日に出願された米国仮特許出願第６２／４００，４１９号、２０１７年３月３０日に出願された米国仮特許出願第６２／４７９，１９６号、及び２０１７年３月３１日に出願された米国仮特許出願第６２／４７９，３９９の利益を主張し、これらはそれぞれ、参照によりその全体が本明細書に組み込まれるものとする。
【０００２】
本発明は一般に、コンピュータネットワーク分野に関し、より具体的には、コンピュータネットワーク分野におけるネットワーク設定を共有するための新しくかつ有用な方法に関する。
【背景技術】
【０００３】
現代のインターネットにより、コンピューティングデバイスは、非常に広大な距離を超えて大量のデータを迅速に送信することが可能となり、通信革命がもたらされた。アプリケーション及びウェブ開発者によりもたらされる技術革新の速度は驚異的な速さであるが、残念なことに、インターネット体験の全ての態様が追随しているわけではない。特に、急速に増加する電子デバイスの集合体のインターネット接続を可能にする住宅ネットワークソリューションに、人々はますます重く依存しているが、これらのソリューションを支える技術は多くの場合、ひどく不適切なユーザ体験をもたらす。ユーザは、新たなネットワークの使用を試みる時、困難な接続または設定作業に直面することが多く、これは数多くのユーザデバイス（例えばラップトップ、スマートフォン、スマートウォッチなど）のそれぞれに対し繰り返す必要があり得る。従って、コンピュータネットワーク分野において、ネットワーク設定を共有するための新しくかつ有用な方法を生み出すことが望まれている。
【図面の簡単な説明】
【０００４】
【図１】好ましい実施形態の方法のチャート図である。
【図２】スマートルータを示す図である。
【図３】好ましい実施形態の方法のネットワーク修正要素のチャート図である。
【図４】遠隔ネットワークの修正、及びゲスト認証設定に基づいたその後の接続の概略図である。
【図５】修正前後の遠隔ネットワークの概略図である。
【図６】修正済み遠隔ネットワークの概略図である。
【図７】ＶＰＮトンネルにより接続されたホームネットワーク及び修正済み遠隔ネットワークの概略図である。
【図８】方法の一例の概略図である。
【図９】方法の第１の具体例の概略図である。
【図１０】方法の第２の具体例の概略図である。
【図１１】方法の第３の具体例の概略図である。
【発明を実施するための形態】
【０００５】
本発明の好ましい実施形態の下記の説明には、本発明をこれらの好ましい実施形態に限定する意図はなく、むしろ当業者が本発明を作成し使用することを可能にする意図がある。
【０００６】
１．概要
ネットワーク設定を共有する方法１００は、ユーザに対応付けられたホームネットワーク設定を受信することと（Ｓ１１０）、遠隔ネットワークを識別することと（Ｓ１２０）、ホームネットワークの設定に基づいて、遠隔ネットワークの設定を修正することと（Ｓ１３０）を含む（例えば図１及び／または図８に示されるように）。方法１００は、付加的または代替的に、遠隔ネットワークに対応付けられた情報を特定すること（Ｓ１４０）、及び／またはネットワーク接続デバイスの動作を修正すること（Ｓ１５０）を含み得る。
【０００７】
特に、ネットワークが最も基本的な接続性以外のものを提供する場合、ネットワークの設定には時間と労力がかかる。ユーザが自分のデバイスを新しいネットワークに接続する時、この時間と労力を再び費やされなければならない。方法１００は、好ましいネットワーク設定（例えばユーザのホームネットワークのネットワーク設定）に基づいて、ネットワークの自動再設定を可能にするように機能する。
【０００８】
方法は、従来のシステムにいくつかの利点をもたらし得る。変形形態では、方法は、遠隔ネットワーク（例えば友人宅、別荘、ホテル、レストランなどにおけるネットワーク）へのアクセスを確立するのに伴う時間及び／または難しさ（例えば、友人、企業、及び／または他のエンティティからパスワードといった認証信任状を取得すること、１つ以上のユーザデバイスに認証信任状を入力することなど）を低減または排除し得る。方法は、付加的または代替的に、自宅ではない時でも（例えばホームネットワークではなく遠隔ネットワークに接続されている時でも）、ホームオートメーションプリファレンス（例えばセキュリティ、照明、音楽、気候などに関する）など、ユーザプリファレンスへのアクセス及び／またはユーザプリファレンスの使用を可能にし得る。ただし方法１００は、付加的または代替的に、任意の他の好適な利点をもたらし得る。
【０００９】
本明細書を通して、用語「ホームネットワーク」は、好ましいネットワーク設定に対応付けられたネットワークを指すのに使用され、このネットワークは、任意の種類のネットワーク（例えば自宅ネットワーク、オフィスネットワーク、商業ネットワークなど）であり得ることが、当業者には認識されよう。同様に、用語「遠隔ネットワーク」は、設定修正（ホームネットワークに基づく）が望まれるネットワークを指すのに使用される。
【００１０】
２．システム
方法１００は、遠隔管理プラットフォーム及び遠隔ネットワークのスマートルータにより実行することが好ましいが、付加的または代替的に、ホームネットワークのスマートルータ、ユーザデバイス（例えばユーザデバイスのクライアント）、追加スマートルータ、及び／または任意の他の好適なコンピューティングデバイスにより実行することが可能である。
【００１１】
例えば、参照によりその全体が本明細書に組み込まれる２０１６年１月２７日に出願された米国特許出願第１５／００８，２５１に説明されるように、方法１００のホームネットワーク及び遠隔ネットワークは、遠隔管理プラットフォームにより設定可能なスマートルータをそれぞれ含むことが好ましい。しかしながら、任意の他の好適なネットワークまたはルーティングシステムを使用することができる。ホームネットワークは、ユーザが使い慣れているネットワークであることが好ましく、ユーザが設定したネットワーク（例えばユーザのユーザアカウントを介したネットワーク、ユーザアカウントに対応付けられたネットワークなど）、ユーザデバイスが接続した履歴のあるネットワーク、ユーザデバイスがネットワーク設定を記憶しているネットワーク、または任意の他の好適なネットワークであり得る。ホームネットワークは、ユーザまたはユーザデバイスに対応付けられた任意のネットワーク、「自宅」ラベルまたは「自宅」指示に対応付けられたネットワーク、または任意の他の好適なネットワークであり得る。遠隔ネットワークは、好ましくは、ユーザまたはユーザデバイスが接続したことのない（例えばネットワーク設定を記憶したことのない）及び／または通常は接続を認可されていないネットワークであるが、代替的または付加的に、異なるユーザアカウント（例えば異なる管理アカウント）に対応付けられたネットワーク、ユーザのユーザアカウントに対応付けられていないネットワーク、ホームネットワークから所定の距離だけ地理的に離れたネットワーク、または任意の他の好適なネットワークであり得る。各ネットワークは、異なるネットワーク設定、地理的領域（例えば対象領域）、及び／または任意の好適なパラメータ値と対応付けられることが好ましい。しかしながら、ネットワークは、代替的にパラメータ値を共有することができる。
【００１２】
ホームネットワーク及び遠隔ネットワークのスマートルータは、好ましくはＷｉ−Ｆｉ（登録商標）無線機及びプロセッサを含み、より好ましくは、ブルートゥース（登録商標）無線機及びイーサネット（登録商標）インターフェースをさらに含む。ルータは、付加的または代替的に、任意の他のハードウェアまたはソフトウェアを含み得る。一例示的実施態様では、図２に示されるように、スマートルータは、１つの５ＧＨｚ無線機及び１つの２．４ＧＨｚ無線機の合計２つのＷｉ−Ｆｉ（登録商標）無線機と、ブルートゥース（登録商標）４．０通信及びＢＴＬＥ通信の両方が可能なブルートゥース（登録商標）無線機と、自動検出ギガビットイーサネット（登録商標）インターフェースと、ＡＲＭプロセッサと、ＤＤＲ−ＲＡＭと、ＥＭＭＣ記憶装置（ルータファームウェア用）と、ＵＳＢインターフェース（例えばネットワークアクセス可能な記憶装置の追加用）とを含む。第２の例示的実施態様では、スマートルータは、２つの５ＧＨｚ無線機及び１つの２．４ＧＨｚ無線機の合計３つのＷｉ−Ｆｉ（登録商標）無線機と、ブルートゥース（登録商標）スマート通信が可能なブルートゥース（登録商標）無線機と、８０２．１５．４無線機（例えばＴｈｒｅａｄ、ＺｉｇＢｅｅ（登録商標）など、１つ以上の８０２．１５．４プロトコルを使用して通信するように構成された無線機）と、自動検出ギガビットイーサネット（登録商標）インターフェースと、ＡＲＭプロセッサと、ＤＤＲ  ＲＡＭと、ＥＭＭＣ記憶装置（ルータファームウェア用）とを含む。第３の例示的実施態様では、スマートルータは、１つの５ＧＨｚ無線機及び１つの２．４ＧＨｚ無線機の合計２つのＷｉ−Ｆｉ（登録商標）無線機と、ブルートゥース（登録商標）スマート通信が可能なブルートゥース（登録商標）無線機と、８０２．１５．４無線機（例えばＴｈｒｅａｄ、ＺｉｇＢｅｅ（登録商標）など、１つ以上の８０２．１５．４プロトコルを使用して通信するように構成された無線機）と、ＡＲＭプロセッサと、ＤＤＲ  ＲＡＭと、ＥＭＭＣ記憶装置（ルータファームウェア用）とを含む。あるいは、スマートルータは、任意の好適なルータ、無線アクセスポイント、及び／または他のネットワークデバイスであり得る。しかしながら、スマートルータは、任意の好適な無線機（例えばＮＦＣ、ＲＦなどの近距離無線機）、処理システム、センサセット、または他の構成要素の任意の好適な組み合わせを含み得る。
【００１３】
スマートルータは、遠隔管理プラットフォームにより設定及び／または管理されることが好ましい。例えば、遠隔サーバ（遠隔管理プラットフォームの一部）内の記憶された設定プロファイルを変更し、その後、記憶された設定プロファイルをスマートルータにプッシュすることにより、スマートルータは設定され得る。スマートルータの遠隔設定可能性が機能することにより、単一のエンティティ（例えば遠隔管理プラットフォーム）が、ホームネットワーク設定及び遠隔ネットワーク設定の両方を制御することが可能になり得る。この集中管理により、ネットワーク間の自動設定共有は容易になり得る。一例では、遠隔管理プラットフォームは、ホームネットワーク設定プロファイル（例えばホームネットワークに対応付けられたスマートルータの設定プロファイル）にアクセスでき、次に、ホームネットワーク設定プロファイルに基づいて、遠隔ネットワークの設定を修正することができる（例えばホームネットワーク設定プロファイルから遠隔ネットワーク設定プロファイルに、設定要素をコピーすることにより）。
【００１４】
３．方法
３．１  ホームネットワーク設定の受信
ユーザに対応付けられたホームネットワーク設定を受信すること（Ｓ１１０）は、ユーザが使い慣れているホームネットワーク（例えばユーザが設定したネットワーク）に関する情報を特定するように機能する。特に、Ｓ１１０は、好ましくは、ユーザ認証及び／またはホームネットワークへの接続に関する情報を特定するために機能する。
【００１５】
ホームネットワーク設定は、遠隔管理プラットフォームで受信することが好ましいが、付加的または代替的に、スマートルータ（例えば遠隔ネットワークのルータ）、ユーザデバイス、及び／または任意の他の好適なコンピューティングデバイスで受信することもできる。ホームネットワーク設定は、遠隔管理プラットフォームから（例えば遠隔管理プラットフォームのデータベースから）受信することが好ましいが、付加的または代替的に、スマートルータ（例えばホームネットワークのルータ）、ユーザデバイス、及び／または任意の他の好適なコンピューティングデバイスから受信することもできる。
【００１６】
ホームネットワーク設定は、ユーザが自身のホームネットワークに既に適用している設定情報、例えばネットワーク名及びパスワードを含むことが好ましい。ホームネットワーク設定からの情報を使用して、遠隔ネットワーク設定を修正し得ることで（Ｓ１３０にて）、ユーザが、冗漫な設定を行うように強いられることなく、自宅から離れたネットワークを効果的に使用することが可能になる。
【００１７】
ホームネットワーク設定には、承認されたデバイスが自動的にネットワークに接続することを可能にし得ると同時に、未承認のデバイスの接続を妨げるまたは制限する認証設定が含まれることが好ましい。認証設定は、Ｗｉ−Ｆｉ（登録商標）  ＳＳＩＤ及び信任状（例えば事前共有鍵（ＰＳＫ）、証明書、暗号鍵ペアの公開鍵、Ｕ２Ｆデバイスといったハードウェアセキュリティ鍵など）を含むことが好ましく、付加的または代替的に、認証モード（例えばＷＰＡ２−ＰＳＫ、ＷＰＡ２−８０２．１Ｘ、ＷＥＰ、認証なしなど）、デバイスリスト（例えばＭＡＣアドレスのホワイトリストまたはブラックリスト）、ネットワーク識別子、及び／または任意の他の好適な認証設定情報を含み得る。
【００１８】
ホームネットワーク設定は、付加的または代替的に、ネットワークとの対話（例えばユーザにより、他の承認されたユーザによる、ネットワークデバイスによるなど）に影響する設定を含み得る。このような設定は、好ましくはネットワークセキュリティを維持するセキュリティポリシー設定（例えばファイアウォール設定）、好ましくはペアレンタルコントロール、職場規制、及び／または法的規制を課すコンテンツフィルタリング設定（例えばウェブサイトのホワイトリスト、プロトコルのブラックリストなど）、好ましくはネットワーク性能を保証するサービス品質（ＱｏＳ）設定、ＬＡＮ設定、ＷＡＮ設定（例えばルータＷＡＮ  ＩＰアドレス）、ＮＡＴ設定（例えばポートフォワーディングセッティング）、ＤＮＳ設定、認証サービス設定、及び／またはネットワーク接続機器設定を含み得る。ＬＡＮ設定は、ＤＨＣＰ設定、ＶＬＡＮ設定、ＬＡＮトポロジー、及び／または任意の他の好適なＬＡＮ設定情報を含み得る。認証サービス設定は、例えばパスワード管理サービス（例えば、グローバルパスワード管理サービス、遠隔サーバによりホストされるサービス、暗号化データベースといったローカルに格納されたパスワードデータベースにより有効になるサービスなど）といった認証サービスと対応付けられ得る。認証サービス設定は、認証及び／または暗号化情報（例えばユーザ名、マスタパスワード、暗号鍵など）、データ（例えば暗号化パスワードデータベース）、並びに／あるいは認証サービスに対応付けられた任意の他の好適な情報を含み得る。ネットワーク接続機器設定は、セッティング、プリファレンス、使用履歴情報、及び／またはネットワーク接続機器に対応付けられた任意の他の好適な情報を含み得る。例えば、ネットワーク接続機器設定は、照明設定（例えば明るさ、色、使用回数など）、空調設定（例えばＨｏｍｅＣｏｎｔｒｏｌ（商標）、温度、湿度など）、物理的セキュリティ設定（例えば警報システム及び／または電子ロックといったアクセスコード、所有地への入場及び／または退出の通常回数及び／または許容回数など）、及び／または任意の他の好適な設定を含み得る。しかしながら、ホームネットワーク設定は、任意の他の好適な設定（複数可）を含み得る。このような構成は、全てのデバイス（例えばユーザ、ユーザアカウント、家族といったユーザグループなどに対応付けられた全てのデバイス、ＬＡＮ及び／またはＷＡＰに対応付けられた全てのデバイスなど）にわたり一様に適用することができ、及び／または異なるデバイスに対し別様に（例えばデバイスの種類、対応付けられたユーザ、個々のデバイスなどに基づいて）、もしくは任意の他の好適な様式で適用することができる。一例では、コンテンツフィルタリング設定は、ネットワークの成人ユーザに対応付けられた（例えば成人ユーザのデバイス、デバイスアカウントなどに対応付けられた）第１の規則集合と、ネットワークの若年ユーザ（例えば成人ユーザの子供）に対応付けられた第２の規則集合（例えばより厳しいウェブサイト及び／またはプロトコルブロックを含む規則など、許容度の低い規則）とを含む。
【００１９】
ホームネットワーク設定は、ユーザに対応付けられている（例えばユーザ識別子を通して）ことが好ましい。ユーザ識別子は、ユーザ名、認証信任状、デバイスＩＤ（例えばユーザに対応付けられたユーザデバイスのＩＤ）、及び／または任意の他の好適な識別子であり得る。認証信任状は、パスワード、証明書、ワンタイムパスワード（例えばＴＯＴＰ、ＨＯＴＰなど）、暗号鍵ペア、バイオメトリック識別子、及び／または任意の他の好適な認証信任状であり得る。デバイスＩＤは、ＭＡＣアドレス（及び／またはＯＵＩＤもしくは他のプレフィックスといったＭＡＣアドレスの一部）、デバイス名、ユーザエージェント文字列、デバイスホストＳＳＩＤ、デバイスのクライアントに対応付けられた識別子、及び／または任意の他の好適な識別子であり得る。ユーザ識別子の第１の例は、遠隔ルータ管理プラットフォームに対応付けられたユーザ名である。ユーザ識別子の第２の例は、ユーザデバイスのＭＡＣアドレスである。しかしながら、ホームネットワーク設定は、任意の他の好適な方法で、ユーザに対応付けられ得る。
【００２０】
３．２  遠隔ネットワークの識別
遠隔ネットワークを識別すること（Ｓ１２０）は、ユーザが使用している及び／または将来使用し得る修正可能なネットワークを特定するように機能する。遠隔ネットワークを手動で再設定すること（またはネットワークアドミニストレータに遠隔ネットワークの再設定を要求すること）をユーザに強いることなく、遠隔ネットワークを使用するユーザ体験が向上され得るように、遠隔ネットワークは識別されることが好ましい。
【００２１】
遠隔ネットワークは、ユーザが自分好みの基準に合わせて設定していない任意のネットワーク、例えば仮住居、知人（例えば友人の住居、車、または職場）、共用車両、または業者に対応付けられたネットワークといった、ユーザが稀に使用するネットワークであり得るが、付加的または代替的に、職場及び／または本住居に対応付けられたネットワークなど、ユーザが定期的に使用する可能性の高いネットワーク、及び／または任意の他の好適なネットワークであり得る。
【００２２】
Ｓ１２０は、数多くの方法のうちの１つ以上の方法で、遠隔ネットワークを識別することを含み得る。
【００２３】
第１の実施形態では、Ｓ１２０は、ユーザ（対応付けられたホームネットワーク設定を有する）が遠隔ネットワークに接続したことを検出することにより、遠隔ネットワークを識別する。例えば、Ｓ１２０は、ユーザデバイスが遠隔ネットワークに接続したことを、遠隔ネットワークのスマートルータにおいて検出することと、ユーザデバイスに対応付けられた識別子（例えばユーザデバイスにより送信されるプローブ要求において受信されるようなＭＡＣアドレス、あるいはユーザデバイス、ユーザアカウント、及び／または任意の他の好適なユーザ関連エンティティに対応付けられたＩＤなどの遠隔管理プラットフォームＩＤ）を特定することと、ユーザデバイス識別子に基づいて、ユーザデバイスがユーザに対応付けられていることを特定することと、を含み得る。第２の例として、Ｓ１２０は、（例えばユーザデバイスにおいて）ユーザデバイスが遠隔ネットワークに接続したことを検出することと、遠隔ネットワークのスマートルータの識別子（例えばＭＡＣアドレス、遠隔管理プラットフォームＩＤ）を特定することと、遠隔ネットワークのスマートルータの識別子を、遠隔管理プラットフォームへ送信することとを含み得る。しかしながら、遠隔ネットワークへのユーザ接続は、任意の方法で特定され得る。例えば、スマートルータは、ＭＡＣアドレス情報をルータ管理プラットフォームへ送信して、対応付けられたホームネットワーク設定を確認し得る（例えば図１１に示されるように）。第２の例として、スマートルータは、ネットワーク設定共有が所望され得るユーザデバイスに対応付けられたＭＡＣアドレスのリストを、ローカルで保持し得る。
【００２４】
第２の実施形態では、Ｓ１２０は、ユーザが遠隔ネットワークに接続すると予測することにより、遠隔ネットワークを識別する。遠隔ネットワーク接続の予測は、直接指示、コンピューティング活動、ユーザ位置、及び／または任意の他の好適なデータ（例えば履歴データ）に基づき得る。
【００２５】
直接指示は、ユーザが遠隔ネットワークに対応付けられた場所に存在している、訪れる予定がある、及び／または訪れる可能性がある、ユーザが遠隔ネットワークを利用している、利用する予定がある、及び／または利用する可能性がある（例えばネットワークによる無線信号一斉送信の範囲内にいる）ことの指示、及び／または任意の他の好適な指示を含み得る。直接指示は、遠隔ネットワークに対応付けられたホストからのホスト入力（例えばユーザに送られた招待状、好ましくはユーザ識別子またはアカウントを伴うユーザ用予約など）、ユーザ入力（例えばホストへ送られた要求）、ホスト及び／またはユーザに対応付けられたサービス提供者からのサービス提供者データ（例えばユーザがネットワークを使用する及び／またはネットワーク対応付けられた場所を訪れることの承認、ネットワークに対応付けられた場所で行われた購買など）、及び／または任意の他の好適なソースからの指示を含み得る。
【００２６】
コンピューティング活動は、カレンダ予定、ナビゲーション活動（例えば位置検索、目的地など）、通信、ウェブ検索、ウェブサイト訪問、広告閲覧、接続要求及び接続試行（例えば無線ネットワーク接続要求）、及び／または任意の他の好適なコンピューティング活動を含み得る。
【００２７】
ユーザ位置は、ユーザデバイスから受信され得る（例えばユーザデバイス及び／または位置情報サービスプロバイダにより特定され得る、ＧＰＳデータ、ＩＭＵデータ、ＳＳＩＤといったＷｉ−Ｆｉ（登録商標）信号データ、ブルートゥース（登録商標）信号データ、８０２．１５．４信号データ、近距離通信データ、無線通信プロトコルに対応付けられた他のデバイス識別子といった他の無線通信データなどに基づいて特定され得る）、ネットワーク（例えば遠隔ネットワーク、第３のネットワーク）から受信され得る（例えばネットワークによるユーザデバイス検出及び／またはネットワークへの接続に基づいて特定され得る）、及び／または任意の他の好適なソースから受信され得る。付加的または代替的に、ユーザ位置は、ユーザ認識（例えば顔認識、歩行認識、声認識など）により特定され得る（例えば画像データ集合、Ｗｉ−Ｆｉ（登録商標）チャネル状態情報といったレーダデータ集合、ＬＩＤＡＲデータ集合、音声データ集合などに基づいて特定され得る）、ユーザデバイス認識により、車両認識（例えばナンバープレート認識、車両ＲＦＩＤ料金タグなど）により、及び／または任意の他の好適な根拠により特定され得る。
【００２８】
第２の実施形態の変形形態において、Ｓ１２０は、ユーザが遠隔ネットワークに対応付けられた場所を訪れると予測することにより、遠隔ネットワークへのユーザ接続を予測することを含み得る。遠隔ネットワークに対応付けられた場所は、好ましくは、遠隔ネットワークに接続されたデバイス（例えば遠隔ネットワークのスマートルータ）の閾値距離（例えば３５ｍ、１００ｍ、または１ｋｍなどの最大無線接続距離）内の場所、及び／または遠隔ネットワークに参加可能な場所（例えば遠隔ネットワークに対応付けられたスマートルータまたは他のＷＡＰの対象領域、可能性のある無線再設定後の対象領域といったスマートルータの潜在的な対象領域、遠隔ネットワークに対応付けられたジオフェンスなど）であるが、付加的または代替的に、遠隔ネットワークへのアクセスを提供できる業者に対応付けられた場所であり得る、及び／またはある方法で遠隔ネットワークに対応付けられた任意の他の場所であり得る。ユーザが遠隔ネットワークに接続すると予測することは、付加的または代替的に、ユーザが遠隔ネットワークを使用する可能性のある時刻または時間窓（遠隔ネットワークへの接続時刻、ネットワークに対応付けられた場所への到着時刻など）を予測することを含み得る（例えば開始時刻、終了時刻、使用時間または時間間隔などを含む）。予測時刻または時間窓は、所定の規則集合、ユーザまたはユーザ集団による遠隔ネットワークの使用回数履歴もしくは使用時間履歴（例えば平均、中央値など）、カレンダ情報、予測される遠隔ネットワーク負荷、予約情報、またはその他に基づいて特定され得る。いくつかの変形形態において、ユーザが遠隔ネットワークに接続すると予測することは、ユーザが遠隔ネットワークに接続することを許可する及び／またはそのような接続を容易にするように遠隔ネットワークを修正するという前提に基づき得る（例えばＳ１３０にて後述されるように）。
【００２９】
第２の実施形態の第１の例において、Ｓ１２０は、ユーザがある場所（例えば遠隔ネットワークに対応付けられた場所）を訪れることを、場所に対応付けられた計画イベントを示す情報に基づいて予測することを含む。計画イベント情報は、予約（例えばホテル予約、スパ予約、飛行機のフライトなど）、カレンダ予定アイテム、サービス要求（例えば交通網乗車要求）、及び／または任意の他の好適なイベントもしくはその指示を含み得る。計画イベントを示す情報は、遠隔管理プラットフォーム及び／または任意の他の好適なコンピューティングリソースにより受信され得る（例えば予約に対応付けられたサービス提供者から、ユーザの電子メールアカウント及び／またはカレンダといったユーザ及び／またはユーザ関連リソースからなど、受信され得る）、及び／または任意の他の好適な方法で特定され得る。
【００３０】
第２の例では、Ｓ１２０は、ユーザがある場所（例えば遠隔ネットワークに対応付けられた場所）を訪れることを、位置情報（例えばユーザに対応付けられたユーザデバイス、１つ以上のスマートルータ、及び／または他のネットワークデバイスなどにより特定された及び／またはこれらから受信された位置情報）に基づいて予測することを含む。位置情報は、現在及び／または最近の位置データ（例えばユーザの現在の行動を示す）、位置履歴データ（例えばユーザの典型的な行動を示す）、並びに／あるいは任意の他の好適な位置データを含み得る。具体的な例では、位置履歴データはユーザ行動のパターンを示し、パターン及び／またはユーザ行動は、１つ以上の地理的位置に対応付けられ得る（例えばユーザは通常平日の朝に第１の経路を使用して食料品店へ行き、ユーザは通常週末の夜に特定の友達の家に行く時に第２の経路を使用する）。この具体的な例では、ユーザデバイス（ユーザに対応付けられたデバイス）から受信された（例えば遠隔管理プラットフォームにて受信された）最近の位置データが履歴データのパターンと一致する場合（例えば平日の朝、ユーザが第１の経路の一部に沿って移動することを最近のデータが示す場合）、予測位置は、検出されたパターンまたはユーザ行動に対応付けられた履歴位置に設定される。この具体的な例では、位置データに基づいて、Ｓ１２０は、一致パターンに対応付けられた場所（例えば食料品店）をユーザが訪れると予測することを含む。
【００３１】
第３の例では、Ｓ１２０は、ソーシャルネットワーク情報及び／または他のソーシャルインタラクション情報に基づいて、ユーザがある場所（例えば遠隔ネットワークに対応付けられた場所）を訪れると予測することを含む。例えば、ユーザが人々のグループに対応付けられており（例えばソーシャルネットワークから受信されたソーシャルグラフデータに基づいて）、グループのうちの何人かのメンバーが現在ある場所にいる場合（及び／またはＳ１２０に関して説明されたように特定された予測またはその他に基づくなどして、別の時間にその場所にいると見込まれる場合）、Ｓ１２０は、このソーシャルネットワーク情報に基づいて、ユーザがその場所を訪れると予測することを含み得る。この例は、付加的または代替的に、ユーザの通信に基づいて、ユーザ行動を予測することを含み得る。例えば、ユーザが友人へ、ある場所（例えば友人に対応付けられた場所）を訪れる意図があることを示すメッセージを送信した場合、このメッセージを使用して、ユーザがその場所を訪れることが予測され得る。
【００３２】
第４の例では、Ｓ１２０は、ユーザがある場所を訪れると予測すること（例えば前述のように）、及びユーザがその場所にいると検出すること（例えば予測を行った後に）の両方を含む。予測に基づいて、Ｓ１２０は任意で、ユーザ及び／または場所に対応付けられた他の予測及び／または検出技術を変更すること（例えばユーザがその場所にいると判定する閾値を下げること、本来予測した場所から離れた第２の場所にユーザが現れると予測する閾値を上げることなど）、並びに／あるいは任意の他の好適なユーザ関連行動及び／または場所関連行動を変えること（例えばＳ１３０にて、遠隔ネットワークの他の可能性のあるゲストユーザより、ユーザを優先すること）を含み得る。具体的な例では、Ｓ１２０は、遠隔ネットワークに対応付けられた領域内に第１のユーザが現れると予測することを含むが、第２のユーザが領域内に現れると予測することは含まない（例えば第２のユーザが領域外にいると予測することは含み、第２のユーザに関連した予測は含まないなど）。この具体的な例では、第１のユーザ及び第２のユーザの両方が領域に近いことを示す位置情報に基づいて、Ｓ１２０は、第１のユーザは遠隔ネットワークを使用する可能性が高いと判断し（例えば、よってＳ１３０にて、第１のユーザのホームネットワーク設定に基づいて遠隔ネットワーク設定を修正する）、しかし第２のユーザは遠隔ネットワークを使用する可能性は高くないと判断する（例えば、従って第２のユーザのホームネットワーク設定に基づいて遠隔ネットワーク設定を修正しない）ことを含み得る。
【００３３】
遠隔ネットワーク（及び／または遠隔ネットワークに接続されたデバイス）は、キオスク（例えばＷｉ−Ｆｉアクセスキオスク）、販売店（例えばコーヒーショップ、バー、レストラン、スーパーマーケット、衣料品店など）、宿泊サービス提供者（例えばホテル、Ａｉｒｂｎｂ（登録商標）を通じて予約される住宅といった短期賃貸住宅など）、個人宅、オフィス、共用車両（例えばタクシー、交通網会社に関連する車両といったライドシェア用車両、バス、電車、シャトル、レンタカー、飛行機、フェリーなど）、私用車、及び／または任意の他の好適な場所の中及び／または近くに存在し得る。
【００３４】
Ｓ１２０は、機械学習及び／または統計分析技術を使用して、並びに／あるいは任意の他の好適な技術を使用して実行され得る。例えば、Ｓ１２０は、回帰、分類、ニューラルネットワーク（例えば畳み込みニューラルネットワーク）、ヒューリスティックス、パターンマッチング、方程式（例えば加重方程式など）、選択（例えばライブラリからの選択）、インスタンスベース法（例えば最近傍法）、正則化法（例えばリッジ回帰）、決定樹、ベイズ法、カーネル法、確率論、決定論、及び／または任意の他の好適な方法（複数可）のうちの１つ以上を使用して行われ得る。
【００３５】
遠隔ネットワークを識別すること（Ｓ１２０）は、遠隔管理プラットフォームで行われること（例えば遠隔管理プラットフォームにより記憶されている情報に基づいて、ユーザデバイス、スマートルータ、ネットワーク管理者、及び／またはサービス提供者といった１つ以上のエンティティから受信される情報に基づいてなど）が好ましいが、付加的または代替的に、スマートルータ、ユーザデバイス、及び／または任意の他の好適なコンピューティングデバイスにより行われ得る。Ｓ１２０は、所定の時刻に、定期的に、散発的に、データ受信またはイベント検出（例えばユーザ、ホスト、ホームネットワーク、遠隔ネットワークなどに対応付けられたデータ受信またはイベント検出）に応じて、及び／または任意の他の好適な時（複数可）に、行われ得る。しかしながら、遠隔ネットワークは、任意の好適な方法で、任意の好適なシステムにより、任意の好適なタイミングで、識別され得る。
【００３６】
３．３  遠隔ネットワーク設定の修正
ホームネットワークの設定に基づいて遠隔ネットワークの設定を修正すること（Ｓ１３０）は、ユーザのために遠隔ネットワークを修正するように機能する。例えば、Ｓ１３０により、ユーザは、手作業による再設定なしに、ホームネットワークのユーザの通常接続及び使用と同様または同一に、遠隔ネットワークへシームレスに接続し使用することが可能になり得る。
【００３７】
図３に示されるように、遠隔ネットワークの設定を修正すること（Ｓ１３０）は、好ましくは、ホームネットワーク設定の所望の要素を選択すること（Ｓ１３１）と、遠隔ネットワーク設定の修正可能要素を特定すること（Ｓ１３２）と、ホームネットワーク設定の選択された要素に基づいて、遠隔ネットワーク設定の修正可能要素を修正すること（Ｓ１３３）とを含み、付加的または代替的に、ネットワーク設定修正を元に戻すこと（Ｓ１３４）を含み得る。
【００３８】
ホームネットワーク設定の所望の要素を選択すること（Ｓ１３１）は、遠隔ネットワーク設定を修正する根拠を特定するように機能する。選択された要素は、ユーザが遠隔ネットワークの使用中に所望し得る修正に対応することが好ましい。要素は、Ｓ１１０にて受信したホームネットワーク設定から選択されることが好ましいが、付加的または代替的に、任意の好適なホームネットワーク設定から選択され得る。選択された要素は、ホームネットワーク認証設定を含むことが好ましく、付加的または代替的に、ホームネットワークＬＡＮ設定、セキュリティポリシー設定、ＮＡＴ設定、ＱｏＳ設定、コンテンツフィルタリング設定、ＤＮＳ設定、及び／または任意の他の好適なネットワーク設定情報の態様を含み得る。
【００３９】
Ｓ１３１の第１の変形形態では、要素は、共有される選択規則集合に基づいて選択される。選択規則集合は、普遍的であり得る（全てのユーザ及びホームネットワークに適用され得る）、またはユーザ及び／またはホームネットワークのグループにより共有され得る（例えばユーザ及び／またはホームネットワークの共通特徴に基づいてグループ化され得る）。選択規則は、設定の種類に基づき得る（例えば承認設定とコンテンツフィルタリングのみを選択する、ＷＡＮ設定を除く全ての設定を選択するなど）、ポータブルネットワークデバイスに関係のない設定要素は省略するなど、ネットワークデバイスの種類（例えば電話、スマートウォッチ、タブレット、及びラップトップコンピュータなどのポータブルデバイス）に基づき得る、設定パラメータ値に基づき得る（例えばアプリケーションまたはポートの集合に関連するファイアウォール規則のみを選択または省略する、ＩＰアドレスの範囲に関連するＤＨＣＰ設定のみを選択または省略するなど）、及び／または任意の他の好適な基準を含み得る。第１の具体的な例では、ＭＡＣアドレスのホワイトリストが選択されるが、非ポータブルデバイス（例えばデスクトップコンピュータ、家電機器など）に対応するＭＡＣアドレスは、ホワイトリストから除外される。第２の具体的な例では、ホームネットワーク設定の全要素が選択される。
【００４０】
Ｓ１３１の第２の変形形態では、要素は、ホームネットワークに対応付けられたユーザ（例えばユーザ、管理者など）から受信した基準に基づいて選択される。このような基準には、明示的な規則及び／または要素選択プロセスへの任意の他の入力が含まれ得る。付加的または代替的に、基準は、遠隔ネットワークに対応付けられたユーザから、または任意の他の好適なユーザから受信され得る。
【００４１】
Ｓ１３１の第３の変形形態では、要素は、ユーザ活動に基づいて選択される（例えば自動的に、規則集合に従ってなど）。例えば、通常ユーザがホームネットワークと対話することを可能にする要素が選択され得、一方、ユーザのホームネットワーク活動に実質的に影響しない要素は省略され得る。しかしながら、ホームネットワーク設定の所望の要素は、任意の好適な方法で選択され得る。
【００４２】
遠隔ネットワーク設定の修正可能要素を特定すること（Ｓ１３２）は、ユーザのために遠隔ネットワークを修正するのに可能性のある方法を特定するように機能する。Ｓ１３２は、遠隔ネットワーク設定に対して行うことができる可能性のある修正集合を特定することと、可能性のある修正集合から許可される修正集合を選択することを含み得る。許可される修正集合は、認証設定修正を含むことが好ましく、付加的または代替的に、任意の他の好適な修正を含み得る。
【００４３】
可能性のある修正集合は、遠隔ネットワーク設定、スマートルータ機能、遠隔管理プラットフォーム機能、ユーザデバイス機能、及び／または任意の他の好適な基準に基づいて特定され得る。
【００４４】
許可される修正集合は、遠隔ネットワークに対応付けられた修正セッティングに基づいて選択されることが好ましい。修正セッティングは、セキュリティ上の懸案事項、ユーザビリティ上の懸案事項、法的制約、及び／または任意の他の好適な基準に基づいて特定され得る、並びに／あるいは手動で特定され得る。修正セッティングは、デフォルトセッティングであり得る、遠隔ネットワーク活動及び／または本来の遠隔ネットワーク設定に基づいて自動で特定され得る（例えば通常の遠隔ネットワーク利用に対する修正の影響を最小限に抑えるため）、遠隔ネットワークの管理者（遠隔ネットワーク管理者）及び／または任意の他の好適な人物から受信され得る、及び／または任意の他の好適な方法で特定され得る。
【００４５】
一例では、修正セッティングは、ホスト及び／またはゲストデバイスにより制御可能な（例えば動作を修正可能な）ネットワーク接続機器、このようなデバイスの動作の修正可能な態様（例えばデバイスの起動及び終了を許可する、セキュリティセッティング修正を許可しないなど）、このような態様の修正可能な方法（例えば所定範囲内のみでパラメータの調整を許可する、所定の動作セッティング集合からのみ選択を許可するなど）、以上を特定し得る機器制御プリファレンス集合（例えば遠隔ネットワーク管理者から受信される）、及び／またはネットワーク接続機器の制御に対応付けられた任意の他の好適なプリファレンスを含む。
【００４６】
修正セッティングを特定することはさらに、修正セッティングを変更する許可（例えば所望の修正の許可）を要求すること（例えばユーザにより、遠隔ネットワーク管理者から、遠隔管理プラットフォームを通して）、及び許可の受信に応じて、修正セッティングを適宜変更することを含み得る。Ｓ１３３を実行する前に、Ｓ１３３を実行した後でＳ１３４を実行する前に（例えばユーザが遠隔ネットワークを使用している間、修正セッティングの対応する変更が遠隔ネットワーク設定の追加修正を促進する）、及び／または任意の他の好適な時に、許可を要求及び／または受信することができる。
【００４７】
Ｓ１３３は、ホームネットワーク設定の選択された要素に基づいて、遠隔ネットワーク設定の修正可能要素を修正することを含む。
【００４８】
例えば、Ｓ１３３は、遠隔ネットワークをセグメント化して（例えばＶＬＡＮに）、ホストネットワークセグメントから分離されたゲストネットワークセグメントを作成することを含み得る。ホストデバイス（例えばホスト認証設定下で認証されたデバイス、遠隔ネットワークに対応付けられた履歴のあるデバイス、Ｓ１３０を実行する前に遠隔ネットワークに接続されているデバイスなど）は、ホストネットワークセグメントに対応付けられ、ゲストデバイス（例えばゲスト認証設定下で認証されたデバイス、ユーザに対応付けられたデバイス、遠隔ネットワークに対応付けられた履歴のないデバイス、Ｓ１３０を実行する前に遠隔ネットワークに接続されていないデバイスなど）は、ゲストネットワークセグメントに対応付けられることが好ましい。遠隔ネットワークをセグメント化することの第１の変形形態は、ホストネットワークセグメントを作成することを含むが、第２の変形形態では、Ｓ１３０を実行する前に、ホストネットワークセグメントは存在する。
【００４９】
遠隔ネットワークをセグメント化することはさらに、ネットワークセグメントのうちの１つ以上に設定を適用すること（好ましくはゲストネットワークセグメントに制限設定を適用すること）を含み得る。制限設定は、帯域幅及び／またはデータ転送制限（例えば各デバイス制限、デバイスグループ制限、ネットワークセグメント全体制限など）、セキュリティポリシー設定、ＮＡＴ設定、ＱｏＳ設定、コンテンツフィルタリング設定、並びに／あるいは任意の他の好適な制限を含み得る。第１の例では、ゲストネットワークセグメントは、ネットワーク帯域全体の６０％以下しか使用できず、ゲストデバイスは、望ましくない活動に対応付けられたポートに通信できないように、制限設定がゲストネットワークセグメントに適用され得る。第２の例では、優先順位の高いホストネットワークセグメントのトラフィックが、全てのゲストネットワークセグメントのトラフィックより優先され、ゲストデバイスはホワイトリストに登録されたウェブサイト集合にしかアクセスできないように、制限設定がゲストネットワークセグメントに適用され得る。第３の例では、ゲストデバイスがアクセスしたウェブサイトに広告が挿入され得るように、広告設定がゲストネットワークセグメントに適用され得る。しかしながら、任意の他の好適な設定が、ネットワークセグメントに適用され得る。
【００５０】
Ｓ１３３は、付加的または代替的に、ホームネットワーク認証設定に基づいたゲスト認証設定下で遠隔ネットワークへの接続許可を行うように、遠隔ネットワークの１つ以上のスマートルータを設定することを含み得る（例えば図４に示されるように）。
【００５１】
いくつかの事例では、ゲスト認証設定は常に、ホームネットワーク認証設定と同等のものであり得る。あるいは、いくつかのゲスト認証設定は除外され得る（例えばＳ１３２にて特定されるように）。例えば、特定のＳＳＩＤ及び／または特定のパターンに一致するＳＳＩＤは除外され得る（例えば「自宅」などの包括的なＳＳＩＤ）。
【００５２】
ゲスト認証設定下で接続許可を行うように遠隔ネットワークのスマートルータを設定することはさらに、元の設定（例えばＳ１３０を実行する前に遠隔ネットワークで使用されていた設定）に基づいた第２の認証設定（ホスト認証設定）下で遠隔ネットワークへの接続許可を引き続き行うことを含むことが好ましいが、代替的に、ホスト認証設定下の接続を除外することを含み得る。デバイスは、遠隔ネットワークに接続する際の認証設定に基づいて、ゲストデバイスまたはホストデバイスに識別され得る（例えば図５に示されるように）。遠隔ネットワークをセグメント化することを含む実施形態では、デバイスは、この識別に基づいて、好適なネットワークセグメントに対応付けられ得る。
【００５３】
ゲスト認証設定下で遠隔ネットワークへの接続許可を行うように遠隔ネットワークスマートルータを設定することの一実施形態は、ホームネットワークへの接続を承認される方法で認証された場合（例えばホームネットワークで使用されている認証方法下で、ホームネットワークへの接続に求められる任意の信任状を提示することで認証された場合）、ホームネットワークのＳＳＩＤと一致するＳＳＩＤ（ゲストＳＳＩＤ）への接続を承認するように（例えばデバイスがゲストＳＳＩＤを使用してスマートルータに対応付けられることを許可するように、ゲストＳＳＩＤに対応する遠隔ネットワークサービスセットにデバイスが参加することを許可するようになど）、スマートルータを設定することを含み、さらに好ましくは、ゲストＳＳＩＤを一斉送信すること（例えばゲストＳＳＩＤを含むビーコンフレームを送信すること）を含む。この実施形態の一変形形態では、Ｓ１３０を実行する前に、遠隔ネットワークのスマートルータは、ホストＳＳＩＤを一斉送信し、ホスト信任状を使用して認証を行うデバイスからホストＳＳＩＤへの接続承認を行う。この変形形態はさらに、（例えばＳ１３３を行った後）、好ましくはホストＳＳＩＤの一斉送信及びホストＳＳＩＤへの接続承認を引き続き行いながら、ゲストＳＳＩＤの一斉送信及びゲストＳＳＩＤへの接続承認を行うことを含む（例えばＳ１３３を実行する前と同様に）。この変形形態はさらに、ゲストデバイスとしてゲストＳＳＩＤに接続するデバイスを識別すること、ホストデバイスとしてホストＳＳＩＤに接続するデバイスを識別すること、ゲストデバイスをゲストＶＬＡＮに対応付けること、ホストデバイスをホストＶＬＡＮに対応付けること（例えばＭＡＣアドレスなどのデバイス識別子により対応付けること）を含み得る。例えば、遠隔管理プラットフォームは、ゲストＳＳＩＤ、ゲストＳＳＩＤに対応付けられたホームネットワークＰＳＫ、及びゲストＶＬＡＮを作成する命令を、遠隔ネットワークのスマートルータに送信し得る。
【００５４】
複数のＳＳＩＤ（例えばそれぞれが拡張サービスセット（ＥＳＳ）に対応する）が、遠隔ネットワークにおいて同時に使用されている場合（例えばホストＳＳＩＤ及びゲストＳＳＩＤの両方、複数のホストＳＳＩＤ及び／またはゲストＳＳＩＤなど）、遠隔ネットワークルータは、これらの無線の一部または全てを使用して、全ての有効なＥＳＳの通信に対処し得る。例えば、遠隔ネットワークルータは、各ＥＳＳに異なる無線を使用し得る（例えばホストＳＳＩＤには２．４ＧＨｚ無線のみを使用し、ゲストＳＳＩＤには５ＧＨｚ無線のみを使用する）、各ＥＳＳに使用可能な全ての無線を使用し得る（例えば交互送信及び／またはＭＵ−ＭＩＭＯ通信の使用などにより、時間、空間、位相、及び／または周波数において、各無線のホスト及びゲストのサービスセット通信を分離する）、及び／または任意の他の好適な方法で無線活動を割り当て得る。
【００５５】
いくつかの実施形態では、遠隔ネットワークは、複数のルータ、及び多数の同時有効ＥＳＳ（例えば全ての有効なＥＳＳに同時に関わる単一のルータが、多数のサービスセットにより性能低下を経験するのに十分な、４、５、６、７、８、９、１０、１５、または２０を超えるサービスセットなど）を含む。例えば、多数のユーザ（例えばそれぞれが異なるホームネットワークに対応付けられている）が遠隔ネットワークの場所に同時に存在する場合、このような実施形態は起こり得る（例えばこのようなユーザごとにＳ１３３は実行され、それぞれに別個のゲストＳＳＩＤが提供される）。いくつかのこのような実施形態では、各ルータは任意で、ＥＳＳの部分集合のみに参加し得る（例えば性能低下を回避または軽減するために）。これらの参加決定は、ネットワーク通信（例えば各ルータにおける各ＥＳＳに対応するトラフィック）、位置情報（例えばユーザとルータの相対位置）、及び／または任意の他の好適な情報に基づいて決定され得る。例えば、第１の遠隔ネットワークルータが第１のゲストＳＳＩＤに対応付けられた最小活動のみに参加し、及び／または第１のゲストＳＳＩＤに対応付けられた全てのユーザが他の遠隔ネットワークルータの近くに存在する（例えば他の遠隔ネットワークルータと高品質な無線通信を確立できる）場合、第１の遠隔ネットワークルータは（例えば一時的に、恒久的になど）、第１のゲストＳＳＩＤの使用を停止し得る（例えば第１のゲストＳＳＩＤを使用している全てのユーザデバイスを切断する、第１のゲストＳＳＩＤを含むビーコンフレームの送信を停止する、第１のゲストＳＳＩＤに対応付けられたサービスセットを辞めるなど）。しかしながら、複数のルータを伴う遠隔ネットワークは、付加的または代替的に、任意の他の好適な方法で多数のＥＳＳに対応し得る。
【００５６】
Ｓ１３３は、付加的または代替的に、ホームネットワークの任意の態様を模倣するように、遠隔ネットワークのスマートルータ（及び／または遠隔ネットワークの追加のスマートルータ）を設定することを含み得る。例えば、Ｓ１３３は、ホームネットワークのＱｏＳ規則と同一のゲストＱｏＳ規則の集合をゲストデバイストラフィックに課し、ホームネットワーク上で閉じている第１のポートを閉じ、ホームネットワーク上では開いているが遠隔ネットワーク上では閉じている第２のポートをブロックするように、ゲストＶＬＡＮを設定することを含み得る。この変形形態では、ゲストデバイストラフィックは、遠隔ネットワークのＱｏＳ規則も課せられることが望ましい（図６に例示）。第２の変形形態は、必要な修正が可能な、Ｓ１３１で選択されたホームネットワーク設定の要素全てと一致するように、ゲストＶＬＡＮを設定することを含む。この変形形態の第１の例では、ゲストＶＬＡＮトラフィックは、遠隔ネットワークの制限設定も課せられる（例えばゲストＶＬＡＮは、ホームネットワークのファイアウォール規則に一致するファイアウォール規則で設定され得るが、ゲストＶＬＡＮトラフィックは、遠隔ネットワークのファイアウォール規則も課せられる）。第２の例では、ゲストＶＬＡＮトラフィックは、遠隔ネットワークの制限設定を課されない。
【００５７】
ホームネットワークと同様の体験を接続ユーザに提供するように遠隔ネットワークのスマートルータを設定することは、付加的または代替的に、１つ以上のゲストデバイスと、遠隔ネットワーク外のデバイス（例えばホームネットワークのデバイス、遠隔管理プラットフォーム、独立遠隔サーバなど）との間のプライベート接続を容易にすることを含み得る。プライベート接続を容易にすることの一実施形態は、ゲストＶＬＡＮとホームネットワークとの間に、ＶＰＮトンネルを作成することを含む（図７に例示）。この実施形態の第１の変形形態では、ホームネットワークのスマートルータは、ＶＰＮトンネルの作成を許可するように既に構成されている。この実施形態の第２の変形形態は、ＶＰＮトンネルの作成を許可するように、遠隔ネットワークのスマートルータとホームネットワークのスマートルータの両方を設定することを含む。この変形形態の第１の例は、ホームネットワークのスマートルータを設定する許可を要求すること（例えばホームネットワーク管理者から、ユーザからなど）、及び、許可の受信に応じて、設定を実行することを含む。第２の例は、要求の受信（例えばユーザから、ホームネットワーク管理者からなど）に応じて、ＶＰＮトンネルを作成するように、ホームネットワークのスマートルータを設定することを含む。ＶＰＮトンネルは、例えば、ホームネットワークデバイス（例えばネットワーク接続ストレージ（ＮＡＳ）、デジタルリビングネットワークアライアンス（ＤＬＮＡ（登録商標））サーバなど）へのアクセスを拡張するために使用され得る。
【００５８】
ホームネットワークと同様の体験を接続ユーザに提供するように遠隔ネットワークのスマートルータを設定することは、付加的または代替的に、遠隔ネットワークに接続されたデバイス（例えばホストデバイス）が、ホームネットワークの認証サービス設定に対応付けられた情報（例えばパスワード及び対応ユーザ名などの認証信任状）を提示できるようにすることを含み得る。例えば、遠隔ネットワークのネットワーク接続音楽システムは、ホームネットワークの認証サービス設定を用いて取得した音楽サービス認証信任状を使用して、インターネット音楽サービスで認証を行うことができる。
【００５９】
Ｓ１３３を実行する許可は、ユーザ、遠隔ネットワーク管理者、ホームネットワーク管理者、サービス提供者（例えば遠隔ネットワークに対応付けられた業者、ライドシェアもしくはホームシェアプラットフォームなど）、ホームネットワーク及び／または遠隔ネットワークに対応付けられた（例えば接続された、使用された履歴があるなどの）電子デバイス、並びに／あるいは任意の他の好適な承認者から、必要とされ得る、要求され得る、及び／または受信され得る。許可要求は、許可要求選択の受信（例えばユーザから、ホームもしくは遠隔ネットワーク管理者からなど）に応じて、自動的に（例えばＳ１２０に応じて、予測開始時刻前に、遠隔ネットワークの接続試行時になど）、及び／または任意の他の好適なタイミングで、送信され得る（例えば遠隔管理プラットフォーム、スマートルータ、ユーザデバイスなどにより）。
【００６０】
Ｓ１３３を実行する許可は、各ゲストユーザ及び／またはＳ１３３の各実行に対し個別に付与することができ、あるいは特定の遠隔ネットワークの全ての可能性のある修正に対し（例えば全てのゲストに対し、全ての承認されたゲストに対しなど）、または全ての遠隔ネットワークの全ての可能性のある修正に対し、一律に付与することができる。第１の変形形態では、特定のユーザが遠隔ネットワークを使用することを認める許可（例えばユーザのホームネットワークに基づいて遠隔ネットワークを修正する許可）は、各ユーザ及び／またはＳ１３３の各実行に対して、要求及び／または付与される。第２の変形形態では、より一般的な許可が付与され得る（例えば、スマートルータ、ルータ管理プラットフォーム、及び／または第三者コンピューティングシステムなどの任意の他の好適なコンピューティングシステムにより受信及び／または記憶されたプリファレンスといった、遠隔ネットワーク管理者のネットワーク共有プリファレンスに基づく）。例えば、遠隔ネットワーク管理者は、ソーシャルネットワーク関係（例えば全てのフェイスブックの友人、ソーシャルネットワークグループのメンバーなど）、遠隔ネットワークの場所の会合に招待されたゲスト（例えば会合の夜など時間窓内の使用に限られたゲスト）、及び／または遠隔ネットワークに対応付けられた商用サービスの任意のクライアント（例えば、好ましくは、チェックイン時刻からチェックアウト時刻までなどの予約に対応付けられた時間間隔内の使用に限られたＡｉｒｂｎｂのゲスト）に、許可を付与し得る。
【００６１】
付加的または代替的に、Ｓ１３３を実行する許可は、１つ以上のタスクの完了を条件とし得る（例えばタスク完了に応じて自動的に付与され得る）。例えば、ユーザは、セキュリティチェックを実行すること、または広告を閲覧することが求められ得る。
【００６２】
一実施形態では、Ｓ１３３は（例えば遠隔管理プラットフォームにおいて）、遠隔ネットワークの１つ以上のルータに、ネットワーク設定情報を、任意で制御命令（例えば送信される情報に基づいて遠隔ネットワーク設定を修正する命令）、修正時間（複数可）（例えば開始時刻、停止時刻、時間間隔など）、及び／または任意の他の好適な情報と共に、送信することを含む。
【００６３】
第２の実施形態では、遠隔ネットワークの１つ以上のルータが、ネットワーク設定情報（例えばホームネットワーク設定の要素）を、好ましくは識別子（例えばユーザＩＤ、ホームネットワークＩＤなど）に対応付けて、記憶する。遠隔ネットワークルータ（複数可）は任意で、他のネットワーク設定情報（例えば遠隔ネットワークを使用したことのある及び／または将来遠隔ネットワークを使用し得る他のユーザに対応付けられた情報）を記憶し得る。この実施形態では、Ｓ１３３は、ネットワーク設定情報を記憶しているルータ（複数可）において、記憶された情報に基づいて遠隔ネットワークを修正する制御命令を受信すること（例えば遠隔管理プラットフォームから）を含む。制御命令は任意で、タイミング情報（例えば直ちに実行する、特定の時刻または特定の時刻から閾値時間内に実行する、トリガイベントの検出に応じて実行する、特定の時刻に元に戻すなど）を含み得る。ルータ（複数可）は、制御命令に従って任意の好適なタイミングで（例えばタイミング情報に従って、命令の受信に応じてすぐに、デフォルトの時刻になど）、遠隔ネットワークを修正し得る。遠隔ネットワークルータが特定の識別子（例えばユーザアカウント名といったユーザＩＤ、ＭＡＣアドレスといったユーザデバイスＩＤなど）に対応付けられた設定情報を記憶する一例では、制御命令は、識別子、好ましい開始時刻、及び好ましい終了時刻を含み得る。制御命令の受信に応じて、ルータは、（例えば直前などの好ましい開始時刻間近に）記憶された情報を使用してＳ１３３を実行し得る（及び任意で、後述されるように、好ましい終了時刻間近にＳ１３４を実行し得る）。
【００６４】
Ｓ１３０のうちの一部または全ての要素（例えばＳ１３３）は、遠隔ネットワークの識別（Ｓ１２０）に応じて実行されることが好ましい。Ｓ１３０の要素は、遠隔ネットワークを識別した（Ｓ１２０）直後に（例えば可及的速やかに）実行され得る、開始時刻などのＳ１２０で特定された時刻（例えば遠隔ネットワーク訪問予測時刻）に実行され得る（または直前もしくは少なくとも最小時間間隔だけ早くなど、特定された時刻前に実行され得る）、開始時刻前の所定の時間窓内に実行され得る、及び／または任意の他の好適な時に実行され得る。いくつかの実施形態では、Ｓ１３０の要素は、定期的または散発的になど繰り返し行われる（例えば同じまたは異なるユーザ、ホームネットワーク、遠隔ネットワーク、ネットワーク訪問などに対して）。一例では、遠隔管理プラットフォームは、定期的に遠隔ネットワークを識別し、遠隔ネットワークを修正するのに好適な時刻を特定し、その後遠隔ネットワークのルータを制御して（例えば特定した時刻またはその間近に）遠隔ネットワーク設定を修正する。しかしながら、Ｓ１３３及び／またはＳ１３０のうちの一部または全ての他の要素は、付加的または代替的に、任意の好適なタイミングで実行され得る。
【００６５】
Ｓ１３０は任意で、ネットワーク設定修正を元に戻すこと（Ｓ１３４）を含み、これは、遠隔ネットワークを元の状態に戻すように機能する（例えばこれにより、ホームネットワーク認証設定に基づいた遠隔ネットワークへの接続許可はもう行わない）。ネットワーク設定修正を元に戻すこと（Ｓ１３４）は、遠隔ネットワーク設定を元の状態（例えばＳ１３３実行前の状態）に復元することが好ましいが、Ｓ１３４は、Ｓ１３３の実行に続く任意の好適なネットワーク設定修正を包含するものと理解される。
【００６６】
Ｓ１３４は、ネットワーク設定修正が不要となったという判断に応じて（例えば遠隔ネットワークに対応付けられた場所にユーザが不在であること基づいて、ユーザが場所を離れると見込まれた予測時刻後など）、及び／またはネットワーク設定修正がもう承認されていないという判断に応じて（例えば予約に対応付けられた間隔など承認された使用時間間隔の終了、遠隔ネットワークの管理者から認証解除選択の受信に応じてなど）、実行され得る。例えば、遠隔ネットワークに対応付けられた（例えば遠隔ネットワークを協調的に生成する）ルータのいずれにおいても、所定の時間の間、ゲストデバイスから送信（例えばフレーム）を受信していないという判断に応じて、Ｓ１３４は実行され得る。別の例では、終了時刻（例えばＳ１２０にて特定された終了時刻）を満たしたことに応じて、Ｓ１３４は実行され得、その結果、ゲストユーザデバイスは、遠隔ネットワークから切断され、及び／またはホームネットワーク認証設定に基づいて今後遠隔ネットワークに接続することが拒否され得る。しかしながら、Ｓ１３４は、付加的または代替的に、任意の他の好適な時に実行され得る。
【００６７】
Ｓ１３３を実行した後、遠隔ネットワークルータは任意で、元の遠隔ネットワーク設定（例えばＳ１３３の前の設定）を保持し得る（例えば記憶し続け得る）。Ｓ１３４は、記憶されている設定（例えば元の設定）に戻すこと、遠隔管理プラットフォームからなど、元の設定を含むネットワーク設定情報を受信し、それに従って遠隔ネットワークを修正すること、及び／または任意の他の好適な方法で遠隔ネットワーク設定を修正することを含み得る。Ｓ１３４を実行した後、遠隔ネットワークルータは任意で、ゲストデバイスが遠隔ネットワークに接続することを拒否し得る、好ましくはホームネットワーク識別子（例えばユーザＩＤ、ネットワークＩＤなど）に対応付けて、修正されたネットワーク設定及び／または関連情報（例えばＳ１３３で修正された設定要素）を保持し得る（例えば記憶し続け得る）、ホームネットワーク設定情報及び／または任意の他の好適な情報（例えばネットワーク設定復元後、ルータに必要なくなった情報）を削除し得る、あるいは、修正されたネットワーク設定（例えばゲストネットワーク設定）を管理し得る。
【００６８】
遠隔ネットワーク設定を修正すること（Ｓ１３０）は、遠隔管理プラットフォーム及び遠隔ネットワークスマートルータが協働して実行することが好ましい。付加的または代替的に、ネットワーク修正は、スマートルータのみにより、遠隔管理プラットフォームのみにより、ユーザデバイスにより、及び／または任意の他の好適なシステムもしくはシステムの組み合わせにより、実行され得る。
【００６９】
遠隔ネットワーク設定を修正すること（Ｓ１３０）は、遠隔ネットワーク管理者がホームネットワークに関する秘密情報（例えば事前共有鍵などの個人認証情報）を発見するのを防止することを含むことが好ましい。秘密情報が遠隔ネットワークスマートルータに送信される第１の変形形態は、秘密情報が発見されないように、秘密情報を分離することを含み得る。例えば、秘密情報は、遠隔ネットワーク管理者に知られていない鍵を使用して暗号化され得る、及び／または秘密情報は、ホームネットワーク情報を表示する遠隔ネットワーク管理者のインターフェースから除外され得る。付加的または代替的に、この変形形態では、Ｓ１３４は、秘密情報を削除することを含み得る。第２の変形形態では、秘密情報は、遠隔ネットワークスマートルータに送信されない。例えば、ホームネットワークの事前共有鍵を遠隔ネットワークスマートルータに送信することを回避するために、ゲストデバイスの認証は、遠隔ネットワークスマートルータではなく、遠隔管理プラットフォームにより実行され得る（部分的または全体的に）。しかしながら、秘密情報の発見を防止するために任意の好適な処置が取られ得る、あるいはそのような処置が取られることはない。
【００７０】
３．４  遠隔ネットワークに対応付けられた情報の特定
遠隔ネットワークに対応付けられた情報を特定すること（Ｓ１４０）は、遠隔ネットワークに対応付けられたエンティティにとって潜在的に重要な情報を特定するように機能し得る、遠隔ネットワーク機能の改善を可能にし得る、及び／または任意の他の好適な機能（複数可）を有し得る。情報は、遠隔管理プラットフォーム、遠隔ネットワークルータ、ユーザデバイス、他のコンピューティングシステム（例えば遠隔ネットワークの場所及び／またはソーシャルネットワークサービスに対応付けられたサービス提供者など、他のエンティティに対応付けられた遠隔コンピューティングシステム）、ユーザ、管理者、及び／またはサービス提供者の社員などの人々、並びに／あるいは任意の他の好適なシステムにより特定され得る。情報は、継続的に、定期的に、散発的に、１度、トリガイベントに応じて、及び／または任意の他の好適なタイミングで、特定され得る。
【００７１】
Ｓ１４０で特定される情報には、例えば、遠隔ネットワーク訪問、遠隔ネットワーク使用、遠隔ネットワークに接続されたデバイス（例えばホストデバイス、ゲストデバイスなど）、遠隔ネットワークの場所、遠隔ネットワークに対応付けられたユーザ及び／または管理者（例えば遠隔ネットワークの現在のユーザ及び／または使用履歴のあるユーザ、遠隔ネットワークを訪れると予測されるユーザなど）、並びに／あるいは遠隔ネットワークに対応付けられたサービス提供者、以上に関連する情報が含まれ得る。訪問情報は、例えば、予測される訪問（及び／または予測訪問回数）、及び／または検出された訪問（例えばユーザ位置、遠隔ネットワークへのユーザデバイスの接続などに基づいて検出された訪問）を含み得る。使用情報は、帯域幅及び／またはデータ送信使用量（及び／または使用回数）、ネットワークトラフィック内容（例えば使用されたプロトコル、閲覧されたウェブページ、送信エンドポイント、キーワードなど）、並びに／あるいは任意の他の好適な使用情報を含み得る。遠隔ネットワークに接続されたデバイスに関連する情報は、デバイスの種類、数、状態（例えばバッテリの充電状態、機器障害、ドアロック状態、インターネット接続品質など）、対応付けられたユーザ及び／またはユーザグループ（例えばユーザの家族、１つのホームネットワークに対応付けられたグループなど）、デバイスの位置（例えばデバイス位置センサに基づいて特定された位置、１つ以上の遠隔ネットワークルータに対するデバイスの距離及び／または方向に基づく、並びに／あるいは無線通信チャネル状態情報といったレーダデータに基づくなど、デバイスとの無線通信の特性に基づいて特定された位置など）、並びに／あるいは任意の他の好適な情報を含み得る。ユーザ及び／または管理者情報は、位置及び／または行動情報（例えばユーザデバイスの位置に基づいて特定された情報、カメラ、近接センサ、動作センサ、電力センサ、煙検知器、及び／またはマイクロフォンといった補助センサによりサンプリングされた情報に基づいて特定された情報など）、識別及び／または人口統計情報（例えばユーザアカウント情報、ネットワークトラフィック、補助センサ、１つ以上のソーシャルネットワークサービスから受信した情報、ユーザに対応付けられた異なるアカウントから受信したこのような情報間の類似点及び／または差異点などに基づいて特定された情報）、評価情報（例えばサービスに対応付けられたホスト及び／またはユーザスコア）、並びに／あるいは任意の他の好適な情報を含み得る。しかしながら、Ｓ１４０は、付加的または代替的に、任意の他の好適な情報を特定することを含み得る。
【００７２】
一実施形態では、Ｓ１４０で特定される情報（例えばゲストユーザ行動に関連する情報）は、例えば最大収容人数、ゲスト分類制限（例えば子供禁止、ペット禁止など）、行動規則（例えば禁煙、夜間は静かな状況を維持、その場所の資産の破損禁止、騒々しいパーティ禁止など）、時間的及び／または空間的制限（例えばチェックイン及び／またはチェックアウト時刻、立ち入り禁止区域など）、並びに／あるいは任意の他の好適なポリシーといった、場所及び／またはサービス使用ポリシーに照らして分析される（例えばＡｉｒｂｎｂ（商標）リストなどの賃貸宿泊施設に対応付けられた遠隔ネットワークに対して）。
【００７３】
この実施形態の第１の変形形態は、その場所に存在するゲストの数を特定することを含み、これは例えば、遠隔ネットワークに接続されているゲストデバイス及び／またはその場所に存在するもしくはその場所を報告するゲストデバイスに基づく（例えばデバイスの数に基づく、少なくとも４人のユーザが存在する可能性を示す４つのラップトップコンピュータの存在といったデバイスの種類の数に基づく、各アカウントに対応付けられた少なくとも１人のユーザが存在する可能性を示す第１及び第２のユーザアカウントの両方に対応付けられたデバイスの存在といったデバイスに対応付けられたユーザに基づく、少なくとも５人のユーザが存在する可能性を示す同時に使用されている５つのデバイスといったデバイスの状態に基づくなど）、及び／または補助センサ情報（例えばその場所にゲストが存在することを示すセキュリティカメラによりサンプリングされた画像及び／またはマイクロフォンによりサンプリングされた音声といった情報の分析）に基づく。
【００７４】
第２の変形形態は、ネットワーク通信及び／または補助センサ情報に基づくなどして、遠隔ネットワークの場所に存在するゲストの種類（複数可）を特定することを含む。一例では、Ｓ１４０は、子供のテレビ番組を含むネットワークトラフィックに基づいて、１人以上の子供の存在を予測することを含む。第２の例では、Ｓ１４０は、補助センサによりサンプリングされた映像及び／または音声データの分析に基づいて、その場所に犬を検出することを含む。
【００７５】
第３の変形形態は、ユーザの位置（例えば遠隔ネットワークの場所内の特定位置）を特定し、空間的及び／または時間的制約に照らしてユーザ位置を分析することを含む。ユーザ位置は、ユーザデバイス位置（例えばデバイスによって、三辺測量技術を使用するようなルータによってなど、デバイス位置は特定される）、補助センサ情報（例えば音声及び／または映像データ、特定のコンセント及び／または回路に局所化された電力データなど）、及び／または任意の他の好適な情報に基づいて特定され得る。第１の例では、Ｓ１４０は、予約時間間隔外に（例えばチェックイン前、チェックアウト後）ユーザがその場所に（及び／またはその場所の近くに）存在することを検出することを含み、これはユーザの時間制約違反を示し得る。第２の例では、Ｓ１４０は、立ち入り禁止区域（例えば貸し出されていない部屋、私有地下室、安全ではない屋根など）にユーザが存在することを示す位置データを特定することを含む。
【００７６】
第４の変形形態は、ユーザ行動を特定することを含む。第１の例では、補助センサ情報は、物理的な場所及び／またはその設備の使用を示す。特定の例では、映像及び／または音声データにより、大規模なパーティが示され得、または過剰な電力消費により、不適切な機器の使用が示され得る。第２の例では、ネットワーク通信情報は、例えば不適切及び／または好ましくない行動（例えば著作物のファイル共有、違法コンテンツへのアクセスなど）を示すなど、遠隔ネットワークの使用（例えばそのインターネット接続の使用）を示す。
【００７７】
第２の実施形態では、Ｓ１４０は、遠隔ネットワークに対応付けられたエンティティ（例えばネットワーク管理者、場所の所有者及び／または経営者、サービス提供者など）の行動を特定（及び／または評価）することを含む。例えば、Ｓ１３０は、サービス提供者の社員が潜在的な問題（例えばゲストの苦情及び／または要求、機器の不具合など）に適切に対応しているかどうか、及び／または社員が不適切に干渉していないかどうか（例えば社員の存在が不必要または望まれていない時に所有地に及び／または所有地の近くに存在する）を特定することを含み得る。ユーザ評価の可能な修正に類似して、サービス提供者関連行動（例えば社員、場所の所有者及び／または経営者の行動など）に関する特定を使用して、関連評価が決定及び／または修正され得る。
【００７８】
第３の実施形態では、Ｓ１４０は、例えば機器の障害、インターネット停止（例えば遠隔ネットワークルータへの接続損失に基づいて遠隔管理プラットフォームにより特定）、セキュリティ問題（例えばドアロック障害、１階の窓の閉め忘れなど）、潜在的な緊急事態（例えば火災検知器、ＣＯ検知器、侵入検知器などの警報状態）、及び／または任意の他の好適な問題など、遠隔ネットワーク及び／またはその場所に対応付けられた潜在的な問題を特定することを含む。この実施形態は、好ましくは、このような問題の特定に応じて通知を提供すること（例えば通知されたエンティティが是正措置と講じることを可能にすること）を含む。
【００７９】
Ｓ１４０は任意で、特定された情報に基づいて行動を実行することを含む。いくつかの変形形態では、Ｓ１４０は、特定された情報に基づいて通知（例えば情報を示す通知、情報の特定に応じて提供される通知など）を提供することを含み、これは、情報の利害関係者に知らせるように機能し得る。通知は、遠隔管理プラットフォームにより提供（例えば送信）されることが好ましいが、付加的または代替的に、スマートルータ、ユーザデバイス、接続機器（例えば警報システム）、及び／または任意の他の好適なエンティティにより提供され得る。通知は、遠隔ネットワークに対応付けられた１つ以上のエンティティ（例えば遠隔ネットワーク管理者、遠隔ネットワークスマートルータ、遠隔ネットワークホストデバイス、ゲストユーザ及び／またはユーザデバイス、遠隔ネットワークに対応付けられたサービス提供者、遠隔ネットワークの場所に対応付けられたセキュリティ及び／または緊急スタッフなど）に提供されることが好ましいが、付加的または代替的に、任意の他の好適なエンティティに提供され得る。通知は、任意の他の好適な方法で、送信され得る（例えば電子メール、ＳＭＳ、プッシュ通知、郵便などにより）、利用可能にされ得る（例えば遠隔データベースにおいて）、及び／または提供され得る。
【００８０】
一例では、Ｓ１４０は、遠隔ネットワークの訪問の通知を提供することを含む。通知は、遠隔ネットワークに対するユーザの接続、切断、及び／または接近に応じて提供され得る。付加的または代替的に、通知は、遠隔ネットワークに対応付けられた要求（例えば接続要求、修正セッティング変更要求など）の受信に応じて提供され得、要求受信者が要求を許可及び／または拒否する選択肢を含み得る。通知は、訪問イベントごとに提供され得る（例えばほぼリアルタイムで提供され得る）、及び／または、ある時間ごともしくは訪問イベントの閾値回数ごとに、一括通知が提供され得る。
【００８１】
ポリシーに準拠している及び／または準拠していないという判断に応じて、任意で行動（例えば非準拠通知の提供、ユーザスコアの決定及び／または更新、ネットワーク設定及び／または機器設定の修正など）が実行され得る（例えば遠隔管理プラットフォームにより）。例えば、ユーザが使用ポリシーを違反したという判断に応じて、遠隔管理プラットフォームは、場所の所有者または経営者に違反を知らせる通知を送信し得る、サービス提供者プラットフォームに通知を送信して、サービス提供者がスコアなどのユーザの評価を修正すること（例えば規則違反及び／また無思慮な行為に応じてスコアを減らし、規則を遵守する及び／または役立つ行為に応じてスコアを上げるなど）を可能にし得る、遠隔ネットワークを使用する及び／またはネットワーク接続機器を制御するユーザ能力を修正または無効にし得る（例えばＳ１３４を実行する、音楽の音量を下げる、立ち入り禁止区域へのドアをロックするなど）、警報システムを有効にし得る、及び／または任意の他の好適な行動（複数可）を実行し得る。具体的な例（例えば遠隔ネットワークが賃貸宿泊施設の場所に対応付けられている具体的な例）では、予約時刻開始前にゲストがその場所に到着したという判断に応じて、予約時刻前到着通知が提供され得る、予約時刻終了後もゲストがその場所に居続けたという判断に応じて、予約時刻後出発通知が提供され得る、賃貸契約書で許可された人数より多くのゲストがその場所にいるという判断に応じて、定員超過通知が提供され得る、及び／または任意の他の好適なポリシー違反通知が提供され得る。
【００８２】
しかしながら、Ｓ１４０は、付加的または代替的に、遠隔ネットワークに対応付けられた任意の他の好適な情報を特定することを含み得る、及び／または任意の好適な方法で実行される任意の他の好適な要素を含み得る。
【００８３】
３．５  ネットワーク接続デバイスの動作の修正
ネットワーク接続デバイスの動作を修正すること（Ｓ１５０）は、ユーザのためにデバイス動作を修正するように機能する。デバイス（例えばネットワーク接続機器）は、遠隔ネットワークに対応付けられている（例えば遠隔ネットワークの近くに配置されている、遠隔ネットワークに接続されている）ことが好ましい。例えば、デバイス及び遠隔ネットワークは全て、ユーザが借りた一時的な設備（例えばホテルの部屋、レンタカー、ライドシェア車両など）に対応付けられ得る。
【００８４】
デバイスの動作（及び／またはデバイスに関連するスマートルータの動作）は、ユーザがデバイスを制御できるように修正され得る。第１の例では、修正後、ユーザは、ロックに近接するユーザデバイスを通して、及び／またはコンピュータ化された要求（例えばネットワークを使用して送信される要求、遠隔ネットワークルータ及び／または遠隔管理プラットフォームへ送信される要求など）を通じて、ネットワーク接続ロックの作動を制御することができ、ユーザは、コンピュータインターフェースを使ってロック作動のキーコードを設定することができる。第２の例では、修正後、ユーザは、ユーザデバイスクライアントを通して音楽システムを制御することができる。付加的または代替的に、デバイスの動作は、ユーザに基づいて（例えばユーザプリファレンス、ユーザ行動履歴、遠隔ネットワークに接続されているユーザデバイス、ホームネットワーク機器設定セッティングなどに基づいて）修正され得る。例えば、部屋の照明特性（例えば強度、色など）を、ユーザの通常の自宅の照明使用と一致するように調整することができ、ユーザの好みの起床時刻にコーヒーを淹れるように自動コーヒーメーカーをスケジュールすることができる。付加的または代替的に、デバイスの動作は、任意のユーザに対し、同様の方法で修正することができる。例えば、警報システムは、賃貸住宅にユーザが滞在予定の間は停止され、滞在予定の終わりに再起動され得る。
【００８５】
遠隔ネットワークがゲストＶＬＡＮとホストＶＬＡＮとにセグメント化されたデバイス動作修正の一実施態様では、ホストＶＬＡＮ内のいくつかの機器は、これらの機器と通信可能な任意の他のデバイス（例えばホストＶＬＡＮ内のデバイスであって、ゲストＶＬＡＮ内のデバイスではない）からの制御命令を受け入れる。この実施態様では、スマートルータは、いくつかまたは全てのゲストデバイス（例えば成人に対応付けられたユーザデバイスなど、機器の制御を承認されたデバイス）と、ゲストが制御することを許可されたホスト機器（例えば照明システムといった機器類、遠隔ネットワークの場所のゲスト領域内に配置された機器など）との間の通信を選択的に通すことができ、一方ゲストＶＬＡＮとホストＶＬＡＮとの間の他のネットワークトラフィックを防止し得る。デバイス動作制御がユーザデバイスリスト（例えばＭＡＣアドレスホワイトリスト）に基づいて許可される第２の実施態様では、ゲストデバイスは、承認済みコントローラのリストに追加され得る。デバイス動作が遠隔管理プラットフォームにより制御され得る第３の実施態様では、デバイス制御命令は、ユーザからデバイスへ、遠隔管理プラットフォームを介して（例えば遠隔管理プラットフォームに対応付けられたユーザデバイスクライアントを介して）渡される。
【００８６】
ネットワーク接続デバイスには、セキュリティデバイス（例えばドアロック、セキュリティ警報システム）、コンピュータアクセサリ（例えばプリンタ、スキャナ）、エンターテインメントシステム（例えば音楽システム、ホームシアター）、家電機器（例えば冷蔵庫、洗濯機、イマージョンサーキュレータ）、照明、及び／または任意の他の好適なデバイスが含まれ得る。デバイスは、任意の好適なネットワークに接続することができ、これらの動作は、任意の好適な方法で修正することができる。デバイスの動作は、Ｓ１３３の実行と実質的に同時に修正されるのが好ましく、修正は、Ｓ１３４の実行と実質的に同時に元に戻され得る。しかしながら、デバイス動作は、任意の好適な時（複数可）に修正され得る。
【００８７】
３．６  実施例
第１の実施形態では、方法１００は、例えば遠隔管理プラットフォームにより記憶されているユーザアカウントに対応付けられたユーザデバイスによる試行など、ネットワーク（例えば遠隔ネットワーク、ホームネットワークなど）を見つけようとする及び／またはネットワークに接続しようとするユーザデバイス試行の検出に応じて、遠隔ネットワーク設定を修正することを含む。遠隔管理プラットフォームは、ユーザデバイス識別子（例えばＭＡＣアドレス）及び／またはホームネットワーク設定の要素（例えばＳＳＩＤ、ＰＳＫなど）といった、ユーザアカウントに対応付けられたデータを記憶し得る。ユーザデバイスがネットワークを見つけようとする試行を検出することは、例えば、プローブ要求（例えばホームＳＳＩＤ及びユーザデバイスのＭＡＣアドレスを含む）を受信して（例えば遠隔ネットワークルータにて）、プローブ要求が、ユーザアカウントに対応付けられたデバイスからの要求であることを特定することを含み得る。この特定に応じて、遠隔ネットワークルータは、ユーザデバイスがそれと対応付けられること（例えばＳＳＩＤがホームネットワークＳＳＩＤであるサービスセットに参加し及び／またはホームネットワークＰＳＫを使用して認証を実行すること、デフォルトの遠隔ネットワークＳＳＩＤといった異なるＳＳＩＤを有するサービスセットに参加すること、デフォルトの遠隔ネットワークＰＳＫといった異なるＰＳＫを使用して認証を実行することなど）を許可し得る。しかしながら、このような実施態様は、匿名化及び／または追跡防止技術を実施する（例えば指向プローブ要求ではなく空プローブ要求を送信する、プローブ要求など送信のためにランダム化されたＭＡＣアドレスなど偽のＭＡＣアドレスを使用するなどの）ユーザデバイスには対応できない。さらに、いくつかのこのような実施態様（例えば識別子がホームネットワークＳＳＩＤであるサービスセットに遠隔ネットワークルータが含まれていない実施態様、及び／またはホームネットワークＰＳＫ以外のＰＳＫを使用して認証を行う実施態様）は、ユーザデバイスが遠隔ネットワークルータと対応付けられ得る前に、ユーザの介在（例えば遠隔ネットワークＳＳＩＤ及び／またはＰＳＫをユーザデバイスに入力すること）を求め得る。
【００８８】
第２の実施形態では、方法１００は、ユーザデバイスが遠隔ネットワークを見つけようとする及び／または遠隔ネットワークに接続しようとする試行を検出する前に、遠隔ネットワーク設定を修正することを含む。例えば、方法は、ユーザが遠隔ネットワークに接続し得ると予測すること（例えばＳ１２０に関して前述されたように）、及び予測に応じて、そのような接続を許可するように遠隔ネットワーク設定を積極的に修正すること（例えばＳ１３０に関して前述されたように）を含み得、好ましくは、ユーザに対応付けられたデバイスがホームネットワークＳＳＩＤ及びＰＳＫを使用して遠隔ネットワークに接続することを許可すること（例えばデバイス（複数可）が、１つ以上の遠隔ネットワークルータを含みホームネットワークＳＳＩＤを有するサービスセットに参加し、ホームネットワークＰＳＫを使用して認証を行うことを許可すること）を含む。この例は、好ましくは、ホームネットワークＳＳＩＤを有するサービスセットの可用性を一斉送信する（例えばホームネットワークＳＳＩＤを含むビーコンフレームを送信する）ように遠隔ネットワークルータ（複数可）を設定することを含み、さらに好ましくは、ユーザに対応付けられたデバイスが遠隔ネットワークを見つけようとする及び／または遠隔ネットワークに接続しようとするいずれの試行も検出する前に、このような動作を開始すること（例えばいずれのそのようなデバイスからもプローブ要求を受信する前に、遠隔ネットワークルータ（複数可）にて、ビーコンフレームを送信し始めること）を含む。
【００８９】
いくつかの例では、方法１００は、ユーザが遠隔ネットワークに接続し得ると予測することと（例えばＳ１３０に関して前述されたように）、予測に応じて（例えばＳ１３０に関して前述されたように、即時、予測に対応付けられた時刻といった将来など）、ホームネットワーク認証設定を使用する遠隔ネットワークへの接続可能性を１つ以上の遠隔ネットワークルータが宣伝する（例えばホームネットワークＳＳＩＤを含むビーコンフレーム及び／またはプローブ応答フレームを送信する）ように、しかし遠隔ネットワークルータは現時点ではホームネットワーク認証設定を使用して接続許可を行わない（例えばホームネットワークＳＳＩＤを使用する認証及び／または対応付け要求を無視する）ように、遠隔ネットワーク設定を修正することとを含む。この初期修正の実行後、方法１００は、ユーザに対応付けられたＳ１２０の追加実行（例えば初期修正後に受信された追加情報に基づくなど、予測の精緻化）を含むことができ、これにより遠隔ネットワークへのユーザ接続可能性がさらに示される。このような追加情報には、遠隔ネットワークの場所またはその近くにユーザが存在することを示す位置情報、遠隔ネットワークへの接続試行を示す無線送信の受信（例えばプローブ要求、認証要求、及び／または対応付け要求など、ホームネットワークＳＳＩＤ及び／またはユーザデバイスＭＡＣを含む送信の受信）、及び／または任意の他の好適な情報が含まれ得る。方法１００は、遠隔ネットワークへのユーザ接続可能性に関するこのようなさらなる指示の特定に応じて、ホームネットワーク認証設定を使用して接続許可を行うように、遠隔ネットワーク設定の別の修正を行うことを含み得る。この時差のある修正方法は、ルータに対する計算要求及び／または無線要求を減らすことにより、遠隔ネットワークルータの性能を潜在的に向上させ得る。例えば、この方法は、ルータが同時にアクセスポイントとして機能するサービスセットの数を減らし（例えばルータがサービスセットのうちの１つ以上に対し接続許可を行う時間を削減する、誤った予測に基づく接続許可を行わないなど）、及び／または容易に遠隔ネットワークを見つける及び／または遠隔ネットワークに接続することのできるユーザの数を増やし得る（例えば遠隔ネットワークへのユーザ接続可能性を予測する閾値を下げることで、より多くのホームネットワークに対する初期修正を実行する）。
【００９０】
具体的な一例では、図９に示されるように、遠隔ネットワークは、宿泊サービス提供者の場所（例えばホテルまたはホテルの部屋、Ａｉｒｂｎｂ（商標）の賃貸場所など）に対応付けられる。場所に関する情報リスト（例えばレンタルリスト、広告など）には、遠隔ネットワークに関する情報（例えば帯域幅及び／またはレイテンシといったインターネット接続情報、ゲストにより制御可能なネットワーク接続機器といった接続デバイスなど）が含まれ得、好ましくは、遠隔管理プラットフォームから（例えばサービス提供者のコンピューティングシステムにより）受信された情報が含まれ得るが、付加的または代替的に、遠隔ネットワークまたは場所に対応付けられた人（例えばユーザ、管理者、所有者、経営者など）により提供された情報が含まれ得る。場所の予約（例えばＡｉｒｂｎｂ（商標）賃貸予約）の生成及び／または受信に応じて、予約を示す情報（例えば場所及び／または遠隔ネットワーク識別子、時間間隔、ゲスト識別子など）が、遠隔管理プラットフォームへ（例えばサービス提供者から）送信される。予約情報は、即時に、定期的に（例えば夜間バッチなどのバッチで）、予約開始時刻より前に（例えば閾値時間分前倒しで）、及び／または任意の他の好適な時に、送信され得る。予約情報の受信に応じて、遠隔管理プラットフォームは、好ましくは予約開始時刻前に（例えば直前に、５分または１時間といった閾値時間間隔だけ前になど）、あるいは任意の他の好適な時に、遠隔ネットワーク設定をゲスト用に修正する（例えばＳ１３０に関して前述されたように）。ゲストが遠隔ネットワークに接続できることを示す通知などの通知が、任意でゲストに（例えばゲストに対応付けられたユーザデバイスに）提供され得る（例えば遠隔管理プラットフォーム、サービス提供者などから）。通知は、予約開始時刻または予約開始時刻近くに提供されることが好ましいが、付加的または代替的に、任意の他の好適な時に提供され得る。任意で、ユーザは、遠隔ネットワークのネットワーク接続機器を制御すること（例えば遠隔ネットワークに接続されたユーザデバイスを使用してなど）が許可され得る。例えば、予約された時間間隔の間、ユーザは入場要求を提出することができ、要求の受信に応じて、遠隔管理プラットフォーム及び／または遠隔ネットワークルータ（複数可）は、ネットワーク接続されたドアロックを解除するように制御することができる。予約終了時刻に、予約終了時刻近くに、または予約終了時刻後に、遠隔管理プラットフォームは、ネットワーク設定修正を元に戻すことが好ましい（例えばＳ１３４に関して前述されたように）。
【００９１】
第２の具体的な例では、ユーザは、遠隔ネットワークの管理者であり、ソーシャルネットワークのアカウントに対応付けられている。ユーザは、自分のソーシャルネットワーク接続（例えばフェイスブックの友人、１つ以上のソーシャルネットワークシステムからの接続など）の一部または全てに対し、ゲストユーザとして遠隔ネットワークアクセス許可を付与することができ、任意で、一部または全てのこのようなゲストユーザに対し、遠隔ネットワークの一部または全てのネットワーク接続機器の動作を修正する許可を付与することができる。ソーシャルネットワーク接続のデバイス（及び／またはホームネットワーク）情報が、ソーシャルネットワークシステムから受信され得る、ネットワーク識別子またはソーシャルネットワーク接続に対応付けられたユーザアカウントに基づいて特定され得る、またはその他の方法で特定され得る。付与された許可に基づいて、方法１００は、ゲストユーザが遠隔ネットワークに接続すると特定すること（例えばＳ１２０に関して前述されたように）、ゲストユーザのホームネットワーク設定に基づいて遠隔ネットワーク設定を修正すること（例えばＳ１３０に関して前述されたように）、及び／または方法１００の任意の他の好適な要素を実行すること（例えば前述されたように）を含み得る。一例では、方法は、ローカルルータまたは遠隔コンピューティングシステム（例えばソーシャルネットワークシステムの遠隔コンピューティングシステム、遠隔管理プラットフォームなど）において、ゲストユーザデバイスから接続要求を受信することと、ゲストユーザデバイス（すなわち対応付けられた識別子）を、許可リスト（例えば遠隔コンピューティングシステム、ソーシャルネットワークシステムなどに記憶されている許可リスト）を用いて検証することと、ゲストユーザデバイスが許可リストに含まれていない（またはブラックリストに含まれている）場合、アクセスを拒否することと、ゲストユーザデバイスが許可リストに含まれている場合、Ｓ１３０を開始することとを含む。しかしながら、遠隔ネットワーク管理者のソーシャルネットワークを他の形で利用して、方法を実行することも可能である。
【００９２】
第３の具体的な例では、図１０に示されるように、第三者のネットワークデバイス（例えばソーシャルネットワークサービスに対応付けられたデバイス）が、以下の技術を用いてユーザのネットワークに接続する。ネットワークに対応付けられた（例えばネットワークに接続された、ユーザに対応付けられたなどの）インターネット接続ユーザデバイス（例えばソーシャルネットワーククライアントなどのユーザデバイス上で実行されているクライアント）は、第三者ネットワークデバイスから暗号シードを受信する（例えばブルートゥース（登録商標）といった無線通信を介して、バーコード、ＱＲコード（登録商標）、またはテキスト識別子といった光学識別子を介してなど）。ユーザデバイスは、暗号シード及びユーザ識別子（例えばソーシャルネットワークサービスのユーザアカウントに対応付けられたユーザ識別子）を、第三者コンピューティングシステム（例えばソーシャルネットワークプラットフォーム）へ送信する。第三者デバイスは、スマートルータ（例えばユーザのネットワーク、別のネットワークなどのスマートルータ）によりホストされているオープンネットワークなどのオープンネットワーク（例えばアクセスポイントがＳＳＩＤを含むビーコンフレームを送信せず、ネットワークに接続されたクライアントデバイスはインターネットを介して特定のエンドポイントにのみアクセス制限された、隠された制限付きオープンＷｉ−Ｆｉ（登録商標）といった、認証信任状を必要としないネットワーク）に接続し、第三者デバイスに対応付けられた情報（例えばデバイス識別子）を第三者コンピューティングシステムに送信する（例えばオープンネットワークを介して）。ユーザデバイス及び第三者デバイスの両方から情報を受信したことに応じて、第三者コンピューティングシステムは、暗号シードを検証し、第三者デバイスをユーザのアカウントに対応付け、対応付けを示す情報をルータ遠隔管理プラットフォームに送信する。情報の受信に応じて、遠隔管理プラットフォームは、スマートルータに対し、ユーザのネットワーク認証情報を第三者デバイスに提供するように命令するコマンド（例えばコマンドは任意で認証情報を含み得る）を送信する。スマートルータは、オープンネットワークを介して情報を提供し、情報の受信に応じて第三者デバイスは、その情報を用いてユーザのネットワークに接続する（例えばオープンネットワークから切断した後）。
【００９３】
しかしながら、方法１００は、付加的または代替的に、任意の他の好適な要素を含み得る、及び／または任意の他の好適な方法で実行され得る。
【００９４】
簡潔にするために省略されているが、好ましい実施形態は、様々なシステム構成要素及び様々な方法プロセスのあらゆる組み合わせ及び置き換えを含む。さらに、好ましい方法の様々なプロセスは、少なくとも部分的に、コンピュータ可読命令を記憶するコンピュータ可読媒体を受け入れるように構成されたマシンとして、具現化及び／または実施され得る。命令は、好ましくはシステムに統合されたコンピュータ実行可能構成要素により実行されることが好ましい。コンピュータ可読媒体は、ＲＡＭ、ＲＯＭ、フラッシュメモリ、ＥＥＰＲＯＭ、光学デバイス（ＣＤまたはＤＶＤ）、ハードドライブ、フロッピーディスク、または任意の好適なデバイスなど、任意の好適なコンピュータ可読媒体上に記憶され得る。コンピュータ実行可能構成要素は、汎用または特定用途向け処理サブシステムであることが好ましいが、付加的または代替的に、任意の好適な専用ハードウェアデバイスまたはハードウェア／ファームウェア組み合わせデバイスが、命令を実行することもできる。
【００９５】
図面は、好ましい実施形態、例示的構成、及びこれらの変形形態による、システム、方法、及びコンピュータプログラム製品の可能な実施態様のアーキテクチャ、機能、及び動作を示す。これに関して、フローチャートまたはブロック図における各ブロックは、特定の論理関数（複数可）を実施する１つ以上の実行可能命令を備えるモジュール、セグメント、ステップ、またはコード部分を表し得る。いくつかの代替的な実施態様では、ブロックに記された機能は、図面に記された順番以外でも起こり得ることにも留意されたい。例えば、連続して示される２つのブロックは、実際には、ほぼ同時に実行されてもよく、または関与する機能に応じて、ブロックは時に逆の順序で実行されてもよい。ブロック図及び／またはフローチャート図解の各ブロック、並びにブロック図及び／またはフローチャート図解内のブロックの組み合わせは、特定の機能もしくは動作を実行する専用ハードウェアベースシステム、または専用ハードウェア及びコンピュータ命令の組み合わせにより、実施され得ることにも留意されたい。
【００９６】
前述の詳細な説明並びに図面及び特許請求の範囲から当業者には認識されるように、以下の特許請求の範囲で定義される本発明の範囲から逸脱することなく、本発明の好ましい実施形態に対して修正及び変更を加えることが可能である。
【図１】
2019530349.tif 000003
【図２】
2019530349.tif 000004
【図３】
2019530349.tif 000005
【図４】
2019530349.tif 000006
【図５】
2019530349.tif 000007
【図６】
2019530349.tif 000008
【図７】
2019530349.tif 000009
【図８】
2019530349.tif 000010
【図９】
2019530349.tif 000011
【図１０】
2019530349.tif 000012
【図１１】
2019530349.tif 000013
【手続補正書】
【提出日】平成31年4月12日(2019.4.12)
【手続補正１】
【補正対象書類名】特許請求の範囲
【補正対象項目名】全文
【補正方法】変更
【補正の内容】
【特許請求の範囲】
【請求項１】
遠隔サーバにより、
第１のローカルエリアネットワーク（ＬＡＮ）の第１の無線アクセスポイント（ＷＡＰ）デバイスから、（ｉ）前記第１のＷＡＰデバイスに対応付けられたサービスセット識別子（ＳＳＩＤ）データと、（ｉｉ）前記第１のＷＡＰに通信可能に接続されたユーザのユーザデバイスに対応付けられた信任状とを含む設定データを受信することと、
第１の時間間隔内に、第２のＬＡＮに対応付けられた領域内に前記ユーザが存在するだろうと判断することと、
前記第１の時間間隔の間、前記設定データを使用して前記第２のＬＡＮの第２のＷＡＰデバイスを設定することであって、（ｉ）前記第２のＷＡＰが前記ＳＳＩＤデータを一斉送信することと、（ｉｉ）前記ユーザデバイスが前記ＳＳＩＤデータ及び前記信任状を使用して前記第２のＷＡＰに接続することとを許可することを含む、前記第１の時間間隔の間、前記設定データを使用して前記第２のＬＡＮの前記第２のＷＡＰデバイスを設定することと
を含む方法。
【請求項２】
前記領域内に前記ユーザデバイスが存在するだろうと判断することは、前記第２のＷＡＰに対応付けられた宿泊サービスへの予約要求を受信することをさらに含み、前記予約は、（ｉ）前記ユーザ、（ｉｉ）前記時間間隔、及び（ｉｉｉ）前記領域に対応付けられる、請求項１に記載の方法。
【請求項３】
前記第１の時間間隔内に、
前記ユーザデバイスから、前記第２のＬＡＮに通信可能に接続された第１のデバイスを操作する要求を受信することと、
前記要求に基づいて、前記第１のデバイスを操作することと、
をさらに含む、請求項１に記載の方法。
【請求項４】
前記第１の時間間隔が終了したことを特定することと、
前記第１の時間間隔の終了後に、前記領域内に前記ユーザが存在することを特定することと、
前記第２のＷＡＰを現在の設定に維持することと、
をさらに含む、請求項１に記載の方法。
【請求項５】
前記第１の時間間隔が終了したことを特定することと、
前記第２のＷＡＰを前の設定に復元することと、
をさらに含む、請求項１に記載の方法。
【請求項６】
前記領域内に前記ユーザがいるだろうと判断することは、
前記領域に対応付けられ、かつ前記時間間隔内に起こるイベントを特定することと、
前記ユーザに対応付けられたカレンダ入力、前記ユーザに対応付けられたソーシャルネットワークデータ、または前記ユーザデバイスに対応付けられた位置データ、以上のうちの１つ以上に、前記イベントが対応付けられていることを特定することと、
を含む、請求項１に記載の方法。
【請求項７】
前記第１の時間間隔の終了の際、前記ＳＳＩＤデータ及び前記信任状を使用して接続することを拒否するように、前記第２のＷＡＰを設定することをさらに含む、請求項１に記載の方法。
【請求項８】
前記第２のＬＡＮを、ホストネットワークとゲストネットワークにセグメント化することと、
前記ゲストネットワークに、前記ＳＳＩＤデータを一斉送信させることと、
前記ユーザデバイスが前記ＳＳＩＤデータ及び前記信任状を使用して前記ゲストネットワークに接続することを許可することと、
をさらに含む、請求項１に記載の方法。
【請求項９】
前記ホストネットワークは、前記ＳＳＩＤデータとは異なる第２のＳＳＩＤデータ、及び前記信任状とは異なる第２の信任状を有する、請求項８に記載の方法。
【請求項１０】
メモリと、
前記メモリに接続された１つ以上のプロセッサと、
前記１つ以上のプロセッサに接続された１つ以上の無線通信デバイスと、
を備える無線アクセスポイント（ＷＡＰ）デバイスであって、前記ＷＡＰデバイスは、第１のサービスセット識別子（ＳＳＩＤ）及び第１の信任状に対応付けられ、
前記ＷＡＰデバイスは、
遠隔サーバから、第２のＳＳＩＤ及び第２の信任状を含む設定情報を受信し、
第１の時間間隔の間、前記第２のＳＳＩＤ及び前記第２の信任状を使用してユーザデバイスと通信し、
前記第１の時間間隔内に、前記ＷＡＰに接続された第１のデバイスを操作する要求を前記ユーザデバイスから受信し、
前記要求に基づいて、前記第１のデバイスを操作する
ように動作可能である、前記ＷＡＰデバイス。
【請求項１１】
前記第１のデバイスは、前記第１のＳＳＩＤ及び前記第１の信任状を使用して前記ＷＡＰデバイスと通信する、請求項１０に記載のＷＡＰデバイス。
【請求項１２】
前記第１の時間間隔が終了したことを特定し、
前記ユーザデバイスとの通信を停止する
ようにさらに動作可能である、請求項１０に記載のＷＡＰデバイス。
【請求項１３】
前記第１の時間間隔の前に前記ユーザデバイスが接続されていた第２のＷＡＰデバイスに、前記設定情報は対応付けられている、請求項１０に記載のＷＡＰデバイス。
【請求項１４】
前記ＷＡＰデバイスは、
前記遠隔サーバからの情報に基づいて、前記第１のＳＳＩＤ及び前記第１の信任状を有するホストネットワークセグメントと、前記第２のＳＳＩＤ及び前記第２の信任状を有するゲストネットワークセグメントとを生成し、前記ホストネットワークセグメントを介して前記第１デバイスは前記ＷＡＰデバイスに接続されており、
前記ユーザデバイスが前記第１のデバイスを操作することを許可する
ようにさらに動作可能である、請求項１０に記載のＷＡＰデバイス。
【請求項１５】
前記ＷＡＰデバイスは、通信領域に対応付けられており、
前記第１の時間間隔が終了したことを特定し、
前記第１の時間間隔の終了後に、前記通信領域内に前記ユーザデバイスが存在することを特定し、
前記ユーザデバイスと通信し続ける
ようにさらに動作可能である、請求項１０に記載のＷＡＰデバイス。
【国際調査報告】
2019530349.tif 000014